(57)【要約】  本発明は、クロストークを視認されにくくすることができ、かつ変化の速い動画に対応することができる画像処理装置を提供する。画像データ処理部（１４１）は、表示部（４）の同一表示画面においてそれぞれ異なる方向に表示される複数の画像が合成された画像を表す画像データを処理する画像処理装置であって、画像データに対して、表示部（４）で画像を表示する際に生じるクロストークを補正するための補正処理を行うクロストーク補正処理部（２）と、画像データに対して、表示部（４）の応答速度を改善するための補正処理を行う応答速度改善補正処理部（３）とを備える。応答速度改善補正処理部（３）は、補正対象の画像データに基づいて補正処理を行い、クロストーク補正処理部（２）は、応答速度改善補正処理部（３）により補正された画像データに基づいて、電気的クロストークを補正するための電気的クロストーク補正処理を行う。
2012111422.tif 000002
【特許請求の範囲】
【請求項１】
表示部の同一表示画面においてそれぞれ異なる方向に表示される複数の画像が合成された画像を表す画像データを処理する画像処理装置であって、
前記画像データに対して、前記表示部で画像を表示する際に生じるクロストークを補正するための補正処理を行うクロストーク補正処理部と、
前記画像データに対して、前記表示部の応答速度を改善するための補正処理を行う応答速度改善補正処理部と、
を備え、
前記応答速度改善補正処理部は、補正対象の画像データに基づいて前記補正処理を行い、
前記クロストーク補正処理部は、前記応答速度改善補正処理部により補正された画像データに基づいて、前記補正処理として、電気的クロストークを補正するための電気的クロストーク補正処理を行う、
ことを特徴とする画像処理装置。
【請求項２】
前記クロストーク補正処理部は、補正対象の画像データに基づいて、前記補正処理として、光学的クロストークを補正するための光学的クロストーク補正処理を行い、
前記応答速度改善補正処理部は、前記光学的クロストーク補正処理後の画像データに基づいて前記補正処理を行い、
前記クロストーク補正処理部は、前記応答速度改善補正処理部により補正された画像データに基づいて、前記補正処理として、前記電気的クロストーク補正処理を行う、
ことを特徴とする請求項１に記載の画像処理装置。
【請求項３】
前記クロストーク補正処理部は、
補正対象の画像データに基づいて光学的クロストークを補正するための光学的クロストーク補正値を生成し、
前記応答速度改善補正処理部により補正された画像データに基づいて電気的クロストークを補正するための電気的クロストーク補正値を生成し、
前記光学的クロストーク補正値および前記電気的クロストーク補正値を用いて、前記応答速度改善補正処理部により補正された画像データに対して、光学的クロストーク補正処理および電気的クロストーク補正処理を行うことを特徴とする請求項１に記載の画像処理装置。
【請求項４】
請求項１から３のいずれかに記載の画像処理装置と、
前記画像処理装置により補正された画像データに基づき、前記複数の画像をそれぞれ異なる方向に表示する表示部と、
を備えることを特徴とする画像表示装置。
【請求項５】
表示部の同一表示画面においてそれぞれ異なる方向に表示される複数の画像が合成された画像を表す画像データを処理する画像処理方法であって、
前記画像データに対して、前記表示部で画像を表示する際に生じるクロストークを補正するための補正処理を行うクロストーク補正処理ステップと、
前記画像データに対して、前記表示部の応答速度を改善するための補正処理を行う応答速度改善補正処理ステップと、
を含み、
前記応答速度改善補正処理ステップでは、補正対象の画像データに基づいて前記補正処理を行い、
前記クロストーク補正処理ステップでは、前記応答速度改善補正処理ステップにより補正された画像データに基づいて、前記補正処理として、電気的クロストークを補正するための電気的クロストーク補正処理を行う、
ことを特徴とする画像処理方法。
【請求項６】
表示部の同一表示画面においてそれぞれ異なる方向に表示される複数の画像が合成された画像を表す画像データを処理するための画像処理プログラムであって、
前記画像データに対して、前記表示部で画像を表示する際に生じるクロストークを補正するための補正処理を行うクロストーク補正処理ステップと、
前記画像データに対して、前記表示部の応答速度を改善するための補正処理を行う応答速度改善補正処理ステップと、
をコンピュータに実行させ、
前記応答速度改善補正処理ステップでは、補正対象の画像データに基づいて前記補正処理を行い、
前記クロストーク補正処理ステップでは、前記応答速度改善補正処理ステップにより補正された画像データに基づいて、前記補正処理として、電気的クロストークを補正するための電気的クロストーク補正処理を行う、
ことを特徴とする画像処理プログラム。
【発明の詳細な説明】
【技術分野】
【０００１】
本発明は、画像処理装置、画像表示装置、画像処理方法、および画像処理プログラムに関する。
【背景技術】
【０００２】
液晶表示装置と、光遮蔽バリアである視差バリア、あるいはレンチキュラスクリーン等の視差光学素子とを用いることで、同一表示画面において、視方向により異なる画像を認識できるようにする技術が開発されている（特許文献１および特許文献２参照）。この技術を用いることで、運転席側にはナビゲーション画像を、助手席側にはテレビジョン画像などを同時に表示できる２画面表示ディスプレイや、視差をつけた画像を特殊な眼鏡を用いずに左右の目それぞれに提示する裸眼立体視ディスプレイなどが実用化されている。【０００３】
上記のような表示装置には、或る方向へ提示すべき画像が、別の方向に提示すべき画像に重畳され二重像となって視認される、いわゆるクロストークが生じてしまう問題がある。【０００４】
クロストークの発生原因は様々であるが、クロストークの一つとして、或るサブ画素に対する電気信号が隣接するサブ画素に電気的に影響を及ぼすことによって発生する電気的クロストークがある。この電気的クロストークを補正する技術として、特許文献３には、補正対象のサブ画素の信号レベルと隣接サブ画素の信号レベルに対応したＬＵＴ（ルックアップテーブル）を備え、補正対象のサブ画素の信号レベルを隣接サブ画素の信号レベルに基づいて補正する方法が開示されている。【０００５】
また、同一の表示画面において複数の画像をそれぞれ異なる方向に表示する方向別画像又は立体画像表示装置の場合、視差バリアやレンチキュラスクリーンなど、通常の液晶表示装置には無い構造に起因したクロストークも考えられる。例えば、或る方向に提示すべき画像光が別の方向に漏れてしまう光学的クロストークなどがある。この光学的クロストークを補正する技術として、特許文献４には、補正対象のサブ画素の階調を、隣接する画素の同色のサブ画素の階調に基づいて補正するものが開示されている。【０００６】
ところで、液晶は駆動電圧を印加してから所定の透過率に到達するまでに一定の時間を要するため、変化の速い動画に迅速に対応できないという欠点がある。こうした問題を解決するため、液晶の応答速度を改善するための技術がある（特許文献５および特許文献６参照）。特許文献５には、現画像データと１フレーム前の画像データを比較し、現画像データの方が１フレーム前の画像データよりも大きい場合は現画像データよりも大きい画像データに対応する液晶駆動信号を液晶パネルに供給し、現画像データの方が１フレーム前の画像データよりも小さい場合は現画像データよりも小さい画像データに対応する液晶駆動信号を液晶パネルに供給する方法が開示されている。また、特許文献６には、入力画像信号と１フィールド前の画像信号とから各画素の１フィールド間のレベル変動を検出し、このレベル変動を入力画像信号に加える方法が開示されている。
【先行技術文献】
【特許文献】
【０００７】
【特許文献１】特許第４５３０２６７号明細書
【特許文献２】特許第４３６７７７５号明細書
【特許文献３】特開２００６−２３７１０号公報
【特許文献４】特許第４３７５４６８号明細書
【特許文献５】特許第２６１６６５２号明細書
【特許文献６】特許第３１６７３５１号明細書
【発明の概要】
【発明が解決しようとする課題】
【０００８】
同一表示画面において複数の画像をそれぞれ異なる方向に表示する画像表示装置では、クロストークを視認されにくくすることが望まれ、さらに変化の速い動画に対応することが望まれている。【０００９】
そこで、本発明は、クロストークを視認されにくくすることができ、かつ変化の速い動画に対応することができる画像処理装置、画像表示装置、画像処理方法、および画像処理プログラムを提供することを目的とする。
【課題を解決するための手段】
【００１０】
本発明の画像処理装置は、表示部の同一表示画面においてそれぞれ異なる方向に表示される複数の画像が合成された画像を表す画像データを処理する画像処理装置であって、前記画像データに対して、前記表示部で画像を表示する際に生じるクロストークを補正するための補正処理を行うクロストーク補正処理部と、前記画像データに対して、前記表示部の応答速度を改善するための補正処理を行う応答速度改善補正処理部とを備え、前記応答速度改善補正処理部は、補正対象の画像データに基づいて前記補正処理を行い、前記クロストーク補正処理部は、前記応答速度改善補正処理部により補正された画像データに基づいて、前記補正処理として、電気的クロストークを補正するための電気的クロストーク補正処理を行う。【００１１】
本発明の画像表示装置は、上記の画像処理装置と、該画像処理装置により補正された画像データに基づき、前記複数の画像をそれぞれ異なる方向に表示する表示部とを備える。【００１２】
本発明の画像処理方法は、表示部の同一表示画面においてそれぞれ異なる方向に表示される複数の画像が合成された画像を表す画像データを処理する画像処理方法であって、前記画像データに対して、前記表示部で画像を表示する際に生じるクロストークを補正するための補正処理を行うクロストーク補正処理ステップと、前記画像データに対して、前記表示部の応答速度を改善するための補正処理を行う応答速度改善補正処理ステップとを含み、前記応答速度改善補正処理ステップでは、補正対象の画像データに基づいて前記補正処理を行い、前記クロストーク補正処理ステップでは、前記応答速度改善補正処理ステップにより補正された画像データに基づいて、前記補正処理として、電気的クロストークを補正するための電気的クロストーク補正処理を行う。【００１３】
本発明の画像処理プログラムは、表示部の同一表示画面においてそれぞれ異なる方向に表示される複数の画像が合成された画像を表す画像データを処理するための画像処理プログラムであって、前記画像データに対して、前記表示部で画像を表示する際に生じるクロストークを補正するための補正処理を行うクロストーク補正処理ステップと、前記画像データに対して、前記表示部の応答速度を改善するための補正処理を行う応答速度改善補正処理ステップとをコンピュータに実行させ、前記応答速度改善補正処理ステップでは、補正対象の画像データに基づいて前記補正処理を行い、前記クロストーク補正処理ステップでは、前記応答速度改善補正処理ステップにより補正された画像データに基づいて、前記補正処理として、電気的クロストークを補正するための電気的クロストーク補正処理を行う。
【発明の効果】
【００１４】
本発明によれば、クロストークを視認されにくくすることができ、かつ変化の速い動画に対応することができる。
【図面の簡単な説明】
【００１５】
【図１】実施の形態１の画像表示装置の構成を示すブロック図である。
【図２】（ａ）〜（ｃ）は、実施の形態１の応答速度改善補正処理部の補正処理を説明するための説明図である。
【図３】表示部の構成の一例を示す概略平面図である。
【図４】画像データのサブ画素配列の一例を示す図である。
【図５】光の回折による光学的クロストークを示す図である。
【図６】光の反射による光学的クロストークを示す図である。
【図７】図４の画像データの一部を切り出したサブ画素配列を示す図である。
【図８】図７の中央の画素に対する隣接画素を示す図である。
【図９】図７の中央の画素に対する周囲画素を示す図である。
【図１０】図７の中央のサブ画素に対して光学的クロストークの影響を与えるサブ画素を示す図である。
【図１１】実施の形態１のクロストーク補正処理部で用いられるＬＵＴの一例を示す図である。
【図１２】実施の形態１のクロストーク補正処理部の構成の一例を示すブロック図である。
【図１３】実施の形態１の画像表示装置の動作を示すフローチャートである。
【図１４】実施の形態２の画像表示装置の構成を示すブロック図である。
【図１５】実施の形態２の画像表示装置の動作を示すフローチャートである。
【図１６】（ａ）および（ｂ）は、実施の形態２の応答速度改善補正処理部の補正処理を説明するための説明図である。
【図１７】実施の形態３の画像表示装置の構成を示すブロック図である。
【図１８】実施の形態３の光学的クロストーク補正処理部の構成の一例を示すブロック図である。
【図１９】実施の形態３の電気的クロストーク補正処理部の構成の一例を示すブロック図である。
【図２０】実施の形態３の画像表示装置の動作を示すフローチャートである。
【図２１】実施の形態４の画像表示装置の構成を示すブロック図である。
【図２２】実施の形態４のクロストーク補正処理部の構成の一例を示すブロック図である。
【図２３】実施の形態５の画像表示装置の構成を示すブロック図である。
【図２４】実施の形態５のクロストーク補正処理部の構成の一例を示すブロック図である。
【発明を実施するための形態】
【００１６】
以下、本発明の実施の形態を図面に従って説明する。
実施の形態１．
図１は、実施の形態１の画像表示装置１００の構成を概略的に示すブロック図である。この画像表示装置１００は、同一表示画面において複数の画像をそれぞれ異なる方向に表示する装置である。すなわち、画像表示装置１００は、同一表示画面において、視方向により異なる画像を認識できるように複数の画像を表示する装置である。例えば、画像表示装置１００は、方向別画像又は立体画像を表示可能な画像表示装置である。すなわち、画像表示装置１００は、例えば、複数の方向の視聴者にそれぞれ異なる画像を提示する方向別画像表示装置や、視差をつけた画像を左右の目それぞれに提示する立体画像表示装置である。
【００１７】
図１において、画像表示装置１００は、入力端子１、画像処理装置としての画像データ処理部１０１、および表示部４を備えている。画像データ処理部１０１は、クロストーク補正処理部２および応答速度改善補正処理部３を備えている。
【００１８】
入力端子１は、画像データＧの入力を受ける。具体的には、入力端子１は、連続する複数の画像データＧ（複数のフレーム画像）により構成される動画データの入力を受ける。画像データＧは、表示部４の同一表示画面においてそれぞれ異なる方向に表示される複数の画像が合成された画像を表すデータまたは信号である。具体的には、画像データＧは、互いに異なる複数の画像（例えば第１および第２の画像）が合成された画像の各サブ画素の階調値を表すデータまたは信号である。ここでは、画像データＧは、各サブ画素の階調値と同期信号とからなるデジタル信号である。画像データＧは、例えばカーナビゲーション機能とＤＶＤ再生機能を含むヘッドユニット装置が、カーナビゲーション画像とＤＶＤ再生画像を合成して出力した信号である。
【００１９】
クロストーク補正処理部２は、入力端子１に入力された画像データＧ（すなわち補正対象の画像データ）に対して、表示部４で画像を表示する際に生じるクロストークを補正するための補正処理（以下、「クロストーク補正処理」と称す）を行い、補正画像データＤｘを出力する。具体的には、クロストーク補正処理部２は、補正対象の画像データＧに基づき、クロストークの影響を軽減または除去するための補正処理を行い、より具体的にはクロストークによる階調レベルの変化を打ち消すような補正処理を行う。クロストーク補正処理部２は、具体的には、入力端子１に入力された画像データＧの各サブ画素の階調値の補正を行う。一つの態様では、クロストーク補正処理部２は、上記補正処理として、光学的クロストークを補正するための光学的クロストーク補正処理と、電気的クロストークを補正するための電気的クロストーク補正処理を行う。なお、クロストーク補正処理部２の補正処理については、後に詳しく説明する。
【００２０】
応答速度改善補正処理部３は、クロストーク補正処理部２により補正された画像データＤｘに基づいて、該画像データＤｘに対して、表示部４の応答速度を改善するための補正処理（以下、「応答速度改善補正処理」と称す）を行い、補正画像データＤｊを出力する。すなわち、応答速度改善補正処理部３は、画像データＤｘに対して、表示部４の表示の応答の遅れを軽減または解消するための補正処理を行う。具体的には、応答速度改善補正処理部３は、画像データＤｘの各サブ画素における階調値の変化に基づき、画像データＤｘの各サブ画素の階調値の変化が強調されるように、画像データＤｘの各サブ画素の階調値を補正する。
【００２１】
一つの態様では、応答速度改善補正処理部３は、現画像データＤｘと１フレーム前の画像データとの比較により得られる１フレーム間の階調値の変化に基づいて、該階調値の変化に対する表示部４の応答が速くなるように画像データＤｘを補正する。具体的には、応答速度改善補正処理部３は、表示部４の階調レベルが１フレーム期間内に画像データＤｘにより示される階調レベルとなるように画像データＤｘを補正する。より具体的には、液晶が１フレーム期間内に画像データＤｘにより指定される所定の透過率となるように画像データＤｘを補正する。上記１フレーム前の画像データとしては、例えば１フレーム前の画像データＤｘが用いられるが、１フレーム前の画像データＧまたはＤｊが用いられてもよい。１フレーム前の画像データは、例えば応答速度改善補正処理部３に保持される。応答速度改善補正処理部３は、具体的には、画像データＤｘの各サブ画素の階調値を、該サブ画素における階調値の変化に基づいて補正する。
【００２２】
図２は、応答速度改善補正処理部３の補正処理を説明するための図である。以下、図２を参照しながら、画像データおよび表示部４の１つのサブ画素に注目して、応答速度改善処理部３の補正処理を説明する。
【００２３】
図２において、（ａ）は画像データＤｘの階調値の時間変化を示し、（ｂ）は補正画像データＤｊの階調値の時間変化を示し、（ｃ）は表示部４の液晶の透過率の時間変化を示している。図２（ｃ）において、実線は画像データＤｊに基づく駆動電圧を印加したときの液晶の応答特性を示し、破線は画像データＤｘに基づく駆動電圧を印加したときの液晶の応答特性を示す。
【００２４】
図２（ａ）、（ｂ）に示されるように、画像データＤｘの階調値が変化する場合、応答速度改善補正処理部３は、該階調値の変化に応じた補正値を画像データＤｘの階調値に加算して補正画像データＤｊの階調値を生成する。補正値は、階調値の変化が正の場合（すなわち階調値が増加した場合）には正の値となり、階調値の変化が負の場合（すなわち階調値が減少した場合）には負の値となる。補正値の大きさは、例えば階調値の変化量によって決められる。図２の例では、画像データＤｘの階調値が増加する場合、階調値の増加量に応じた補正量Ｖ１が画像データＤｘの階調値に加算されて補正画像データＤｊの階調値が生成されている。また、画像データＤｘの階調値が減少する場合、階調値の減少量に応じた補正量Ｖ２が画像データＤｘの階調値から減算されて補正画像データＤｊの階調値が生成されている。
【００２５】
応答速度改善補正処理部３は、例えば、現画像データＤｘの階調値と１フレーム前の画像データの階調値とに基づいて、階調値の変化と補正値とが対応付けられたＬＵＴ（ルックアップテーブル）を用いて補正値を求める。ただし、補正値は、例えば関数を用いて算出する方法など、他の方法により求められてもよい。
【００２６】
補正画像データＤｊの階調値に基づく駆動電圧が液晶に印加されることにより、図２（ｃ）の実線で示されるように、液晶の透過率が約１フレーム期間内に画像データＤｘの階調値に対応する透過率に到達する。なお、画像データＤｘの階調値に基づく駆動電圧が液晶に印加された場合には、図２（ｃ）の破線で示されるように、液晶の透過率は１フレーム期間内には画像データＤｘの階調値に対応する透過率に到達しない。
【００２７】
なお、応答速度改善補正処理部３の補正処理は、表示部４の応答速度を改善することができるものであればよく、上記の処理に限定されない。
【００２８】
表示部４は、画像データ処理部１０１により補正された画像データＤｊに基づき、画像を表示する。具体的には、表示部４は、クロストーク補正処理および応答速度改善補正処理後の画像データＤｊに基づき、複数の画像をそれぞれ異なる方向に表示する。
【００２９】
以下、表示部４および画像データＧについて詳しく説明する。なお、ここでは、第１および第２の画像がそれぞれ異なる方向に表示される場合を例にとって説明する。
【００３０】
表示部４は、互いに異なる第１および第２の方向にそれぞれ画像を表示するものであり、それぞれ１以上のサブ画素を含む複数の画素が配列された構造を有し、第１の方向に表示されるサブ画素と第２の方向に表示されるサブ画素とが交互に配列されるように構成されている。
【００３１】
画像データＧは、互いに異なる方向に表示される第１および第２の画像が合成された画像であって、それぞれ１以上のサブ画素を含む複数の画素が配列され、第１の画像を構成するサブ画素と第２の画像を構成するサブ画素とが交互に配列された画像の各サブ画素の階調値を表すデータである。画像データＧは、表示部４の各サブ画素に対応する階調値を表すデータとも言える。例えば、表示部４として液晶パネルを有する液晶表示装置が用いられる場合、画像データＧは、液晶パネルが備える複数の画素電極の各々に入力される階調値（具体的には画素電極に印加される駆動電圧に対応する階調値）を表す画像データである。ただし、実際には、液晶パネルの各画素電極には、画像データＧの各階調値を補正して得られる補正後の画像データ（図１では画像データＤｊ）の各階調値が入力される。
【００３２】
表示部４の各サブ画素は、該サブ画素に対応する画像データのサブ画素の階調値に基づき、該階調値に応じた階調レベルの光を表示する。より詳しくは、表示部４の第１の方向に表示されるサブ画素は、該サブ画素に対応する画像データの第１の画像を構成するサブ画素の階調値に基づき、該階調値に応じた階調レベルの光を第１の方向に表示する。表示部４の第２の方向に表示されるサブ画素は、該サブ画素に対応する画像データの第２の画像を構成するサブ画素の階調値に基づき、該階調値に応じた階調レベルの光を第２の方向に表示する。これにより、第１の画像が第１の方向に表示され、第２の画像が第２の方向に表示される。
【００３３】
一つの態様では、表示部４および画像データＧについて、１画素は、赤色（Ｒ：Ｒｅｄ）、緑色（Ｇ：Ｇｒｅｅｎ）、青色（Ｂ：Ｂｌｕｅ）の３つのサブ画素で構成される。また、複数の画素は、互いに異なる２つの方向（例えば横方向および縦方向）に二次元に配列される。また、第１の画像を構成するサブ画素と第２の画像を構成するサブ画素とは、上記互いに異なる２つの方向について１サブ画素毎に交互に配列される。
【００３４】
図３は、表示部４の構成の一例を示す概略平面図である。図３において、表示部４は、液晶表示装置と市松状（チェッカーボード状とも言う）の視差バリアとを備える構造を有し、２画面表示可能なものである。具体的には、表示部４は、バックライト３１、液晶パネル３２、および視差バリア３３を有する。液晶パネル３２では、Ｒ、Ｇ、Ｂの３色のサブ画素の集まりが１画素を構成しており、複数の画素が順に配列されている。視差バリア３３は、液晶パネル３２に向かって左側の視聴者３４に表示されるサブ画素と、液晶パネル３２に向かって右側の視聴者３５に表示されるサブ画素とが、１サブ画素毎に交互に配列されるように、各サブ画素の光を遮蔽する。したがって、左側の視聴者３４の方向から表示部４を見ると、液晶パネル３２は視差バリア３３によって１サブ画素毎に遮蔽されており、液晶パネル３２の正味半分の左側画像用の領域が視認可能である。一方、右側の視聴者３５の方向から表示部４を見ると、視聴者３４の方向へは遮蔽されていたサブ画素が視認可能であり、視聴者３４には視認可能なサブ画素が遮蔽されており、液晶パネル３２の正味半分の右側画像用の領域が視認可能である。
【００３５】
なお、図３では複数のサブ画素が横方向に配列された様子が示されているが、複数のサブ画素は横方向および縦方向に二次元に配列される。また、視差バリア３３は、横方向および縦方向について、左側の視聴者３４に表示されるサブ画素と右側の視聴者３５に表示されるサブ画素とが１サブ画素毎に交互に配列されるように、市松状の構造を有する。
【００３６】
図４は、画像データＧのサブ画素配列の一例を示す図である。この画像データＧのサブ画素配列は、図３の表示部４に対応するものであり、２つの画像がサブ画素単位で市松状に合成された構造を有する。図４において、各マス目はサブ画素を表す。各サブ画素のマス目の１行目は該サブ画素が構成する画像（または該サブ画素が表示される視方向）を示し、“Ｌ”は左側の視聴者に提示されるべき左側画像（または左方向）、“Ｒ”は右側の視聴者に提示されるべき右側画像（または右方向）を意味する。また、各サブ画素のマス目の２行目は該サブ画素が含まれる画素の座標を示し、各座標は横方向の座標値ｘおよび縦方向の座標値ｙを含む。また、各サブ画素のマス目の３行目は該サブ画素の色（Ｒ，Ｇ，Ｂ）を示す。
【００３７】
図４では、Ｒ、Ｇ、Ｂの３色のサブ画素の集まりが１画素を構成しており、複数のサブ画素が横方向および縦方向に二次元に配列されている。また、左側画像を構成するサブ画素と、右側画像を構成するサブ画素とが、横方向および縦方向について、１サブ画素毎に交互に配列されている。
【００３８】
このような画像データＧは、例えば、図４に示されるように、左側画像の元の画像データＧＬおよび右側画像の元の画像データＧＲのサブ画素の階調値をそれぞれ市松状に取捨選択して合成することにより得られる。具体的には、偶数ライン（座標値ｙが偶数のライン）については、左側画像のＲ、右側画像のＧ、左側画像のＢ、右側画像のＲ、・・・という並びで、奇数ライン（座標値ｙが奇数のライン）については、右側画像のＲ、左側画像のＧ、右側画像のＢ、左側画像のＲ、・・・という並びで、２つの画像データＧＬ，ＧＲのサブ画素の階調値を合成することにより得られる。
【００３９】
以下、電気的クロストークおよび光学的クロストークについて説明する。
電気的クロストークは、或るサブ画素に対する電気信号（駆動信号）が隣接するサブ画素に電気的に影響を及ぼすことによって発生するものである。例えば、複数のソースライン（信号ライン）および複数のゲートライン（走査ライン）がマトリクス状に配置され、ソースラインとゲートラインとの交点に対応してサブ画素が設けられる液晶表示装置では、電気的クロストークは、隣接サブ画素のソースライン間およびゲートライン間の寄生容量による容量結合の影響により発生するものであると考えられる。この電気的クロストークの影響は、影響を受けたサブ画素の電圧値が該サブ画素の階調値に対応した電圧値からずれ、該サブ画素から視認される発光量が変わることで現れる。
【００４０】
一方、光学的クロストークは、或る方向に提示すべき画像光が別の方向に漏れてしまうことにより発生するものである。例えば、視差バリアを用いる方向別画像又は立体画像表示装置において、その構造に起因する光学的クロストークは２種類あると考えられる。１つめはスリットによる光の回折によるものであり、もう１つは視差バリアによる光の反射によるものである。
【００４１】
図５は、光の回折によるクロストークを示した図である。液晶パネル５０のサブ画素５１は、視差バリア５２によって液晶パネル５０へ向かって左側へは遮蔽されるべきサブ画素である。しかし、視差バリア５２とその隣の視差バリア５３との間が十分に狭いために回折現象が生じ、サブ画素５１の光が、回折光路５４のように回り込んで本来遮蔽されるべき左側へ漏れてしまう。
【００４２】
図６は、光の反射によるクロストークを示した図である。液晶パネル６０のサブ画素６１は視差バリア６２によって液晶パネル６０へ向かって左側へは遮蔽されるべきサブ画素である。しかし、サブ画素６１の光が、視差バリア６２に反射され、さらにサブ画素６１と隣接するサブ画素６３の面に反射されることで、反射光路６４のように本来遮蔽されるべき左側へ漏れてしまう。
【００４３】
図７は、画像データＧのサブ画素配列を示す図であり、図４の画像データＧの一部（５×５画素）を切り出したものである。以下、図７を参照して、ある注目するサブ画素（以下、「注目サブ画素」と称す）に対してクロストークの影響を及ぼすサブ画素について説明する。
【００４４】
以降の説明では、ある画素に対し、同画素に隣接する画素を“隣接画素”と称し、さらに隣接画素の周囲の画素を“周囲画素”と称する。例えば、図７において、中央にある座標（ｘ，ｙ）の画素に対し、同画素を取り囲んで上下、左右、または斜め方向に隣接している画素を“隣接画素”と称し、さらに隣接画素を取り囲む画素を“周囲画素”と称する。図８には、８個の隣接画素が示されており、図９には、１６個の周囲画素が示されている。
【００４５】
電気的クロストークについては、注目サブ画素に対して隣接するサブ画素からの影響が大きい。また、電気的クロストークの影響は、サブ画素の色や表示方向によらず、注目サブ画素そのものの発光が変化する形で現れる。したがって、注目サブ画素は、サブ画素間の色や表示方向の異同によらず、該サブ画素に隣接するサブ画素から電気的クロストークの影響を受ける。
【００４６】
具体的には、ソースラインおよびゲートラインがマトリクス状に配置された液晶表示装置では、注目サブ画素は、該サブ画素に対してソースライン方向（横方向）に隣接する２つのサブ画素およびゲートライン方向（縦方向）に隣接する２つのサブ画素、すなわち上下左右に隣接する合計４つのサブ画素から電気的クロストークの影響を受ける。例えば、図７において、座標（ｘ，ｙ）のＧ色のサブ画素は、座標（ｘ，ｙ）のＲおよびＢ色のサブ画素、座標（ｘ，ｙ−１）のＧ色のサブ画素、座標（ｘ，ｙ＋１）のＧ色のサブ画素から電気的クロストークの影響を受ける。
【００４７】
光学的クロストークについては、注目サブ画素は、上下、左右、斜め方向など、該サブ画素に対して様々な方向に位置するサブ画素からの影響を受け得る。また、注目サブ画素は、広範囲のサブ画素から光学的クロストークの影響を受け得る。具体的には、注目サブ画素は、該サブ画素が含まれる画素に対する隣接画素のサブ画素だけでなく、周囲画素のサブ画素からも光学的クロストークの影響を受け得る。特に、同一表示画面において互いに異なる２つの画像をそれぞれ異なる方向に表示する表示装置では、１方向へ表示される画面の輝度を確保するために、通常の表示装置よりも各サブ画素の光を強くすることが多い。具体的には、方向別画像又は立体画像表示装置では、視差バリア等の構造により、１方向へ表示される画面の輝度が落ちてしまうのを防ぐために、通常の表示装置では下部のみに配置されるバックライトを上部と下部の２箇所に配置するなどし、より強い発光が可能になるバックライトシステムを用いることが多い。このように、各サブ画素の発光が強くなっていることにより、光学的クロストークの及ぶ範囲は広範囲になる。
【００４８】
また、光学的クロストークの影響は、注目サブ画素と異なる方向に提示されるサブ画素のうち、注目サブ画素と同色のサブ画素の光が注目サブ画素の光に重畳し、これにより視聴者に視認される注目サブ画素の階調レベルが変化する形で現れる。
【００４９】
したがって、光学的クロストークについては、注目サブ画素は、該サブ画素が含まれる画素に隣接する画素および該隣接する画素の周囲の画素に含まれる、該サブ画素が構成する画像と異なる方向に提示される（すなわち該サブ画素と異なる画像を構成する）、該サブ画素と同色のサブ画素からクロストークの影響を受ける。
【００５０】
例えば、あるサブ画素の光が２画素先まで光学的クロストークの影響を及ぼすとした場合、図７における座標（ｘ，ｙ）のＲ方向のＧ色のサブ画素は、図１０に示されるように、該サブ画素が含まれる座標（ｘ，ｙ）の画素に対する隣接画素および周囲画素に含まれる、該サブ画素と異なるＬ方向に表示される、該サブ画素と同じＧ色の合計１２個のサブ画素から光学的クロストークの影響を受ける。なお、図１０において、破線１００は座標（ｘ−１，ｙ−２）のＬ方向のＧ色のサブ画素の光学的クロストークの影響範囲を示し、破線１０１は座標（ｘ−２，ｙ−１）のＬ方向のＧ色のサブ画素の光学的クロストークの影響範囲を示す。座標（ｘ，ｙ）のＲ方向のＧ色のサブ画素は、座標（ｘ−１，ｙ−２）のＬ方向のＧ色のサブ画素および座標（ｘ−２，ｙ−１）のＬ方向のＧ色のサブ画素の光学的クロストークの影響範囲に入っている。
【００５１】
以下、クロストーク補正処理部２によるクロストーク補正処理の一例について説明する。なお、クロストーク補正処理部２による補正処理は、クロストークを補正できるもの、すなわち視認される画像に対するクロストークの影響を軽減または除去できるものであればよく、以下に説明されるものに限定されない。
【００５２】
補正対象のサブ画素が他のサブ画素から電気的または光学的クロストークの影響を受ける場合、補正対象のサブ画素の視認される階調レベルは、他のサブ画素からのクロストークの影響により、補正対象のサブ画素の階調値に対応する本来の階調レベルからずれる。そこで、クロストーク補正処理部２は、上記視認される階調レベルのずれを打ち消すように、補正対象のサブ画素の階調値を補正する。
【００５３】
例えば、画像データＧのサブ画素の階調数が２５６（８ビット）であったとし、補正対象のサブ画素Ａの階調値が１５、そのサブ画素Ａにクロストークの影響を与えるサブ画素Ｂの階調値が２４３であったとする。これらサブ画素をそのまま表示部４で表示した場合、サブ画素Ａの発光は、サブ画素Ｂからのクロストークによる影響で階調値１８相当の階調レベルとなり、本来の階調レベルよりも＋３程度階調レベルが強い発光が視認されてしまう。そこで、クロストーク補正処理部２は、サブ画素Ａの階調値を−３だけ補正して１２とする。これにより、クロストークによる影響＋３が発生したときに、サブ画素Ａの視認される階調レベルは、本来の階調レベルである階調値１５相当の階調レベルとなる。このように、クロストーク補正処理部２は、視認される階調レベルが本来よりも大きくなる場合（すなわち発光が強く視認される場合）、補正対象のサブ画素の階調値を小さくする補正を行う。なお、視認される階調レベルが本来よりも小さくなる場合（すなわち発光が弱く視認される場合）も存在し、この場合には、クロストーク補正処理部２は、補正対象のサブ画素の階調値を大きくする補正を行う。
【００５４】
上記視認される階調レベルのずれの度合は、補正対象のサブ画素にクロストークの影響を与えるサブ画素の階調値に依存する。そこで、クロストーク補正処理部２は、補正対象のサブ画素の階調値を、該サブ画素にクロストークの影響を与えるサブ画素の階調値に基づいて補正する。すなわち、電気的クロストークについては、クロストーク補正処理部２は、補正対象のサブ画素の階調値を、該サブ画素に隣接するサブ画素の階調値に基づいて補正する。光学的クロストークについては、クロストーク補正処理部２は、補正対象のサブ画素の階調値を、該サブ画素が含まれる画素に隣接する画素および該隣接する画素の周囲の画素に含まれる、該サブ画素が構成する画像と異なる画像を構成する、該サブ画素と同色のサブ画素の階調値に基づいて補正する。
【００５５】
上記視認される階調レベルのずれの度合は、補正対象のサブ画素の階調値にも依存する。そこで、一つの態様では、クロストーク補正処理部２は、補正対象のサブ画素の階調値を、該サブ画素の階調値と、該サブ画素にクロストークの影響を与えるサブ画素の階調値とに基づいて補正する。具体的には、クロストーク補正処理部２は、補正対象のサブ画素の階調値と、該サブ画素にクロストークの影響を与えるサブ画素の階調値との組み合わせに対応する補正値を求め、該補正値を補正対象のサブ画素の階調値に加算してクロストーク補正後の階調値を得る。上記補正値は、例えばＬＵＴを用いて求められる。
【００５６】
図１１は、クロストーク補正処理部２で用いられるＬＵＴの一例を示す図である。このＬＵＴは、補正対象のサブ画素の階調値と、該サブ画素にクロストークの影響を与えるサブ画素の階調値との組み合わせに対応する補正値を格納するものであり、補正対象のサブ画素の階調値と該サブ画素にクロストークの影響を与えるサブ画素の階調値との組み合わせが入力されたときに、対応する補正値を出力する。ＬＵＴのサイズ（ビット数）を減らす観点より、図１１のＬＵＴでは、補正後の階調値ではなく、補正前後の階調値の差分である補正値が格納されている。ＬＵＴに格納される補正値は、実験によって求められた値である。
【００５７】
クロストーク補正処理部２は、補正対象のサブ画素に対する複数のサブ画素からのクロストークを補正する場合には、該複数のサブ画素の階調値に基づいて補正対象のサブ画素の階調値を補正する。例えば、クロストーク補正処理部２は、クロストークの影響を与える複数のサブ画素の各々について、該サブ画素と補正対象のサブ画素との組み合わせに対応する補正値を求め、得られた複数の補正値を補正対象のサブ画素の階調値に加算する。
【００５８】
図１２は、クロストーク補正処理部２の構成の一例を示すブロック図である。以下、図１２を参照して、クロストーク補正処理部２の構成について説明する。図１２において、クロストーク補正処理部２は、サブ画素選択部１２１と、補正部１２２とを備える。
【００５９】
サブ画素選択部１２１は、画像データＧを受け付け、該画像データＧから補正対象のサブ画素の階調値と、該サブ画素にクロストークの影響を与えるサブ画素の階調値（すなわち補正に用いるサブ画素の階調値）とを選択する。具体的には、電気的クロストークについて、サブ画素選択部１２１は、クロストークの影響を与えるサブ画素の階調値として、補正対象のサブ画素に対して上下左右に隣接する合計４個のサブ画素の階調値を選択する。光学的クロストークについて、サブ画素選択部１２１は、クロストークの影響を与えるサブ画素の階調値として、補正対象のサブ画素が含まれる画素に隣接する画素および該隣接する画素の周囲の画素に含まれる、該サブ画素が構成する画像と異なる画像を構成する、該サブ画素と同色のサブ画素の階調値を選択する。例えば、図７の座標（ｘ，ｙ）のＲ方向のＧ色のサブ画素を補正対象とする場合、サブ画素選択部１２１は、図１０に示される、座標（ｘ，ｙ）の画素に対する隣接画素および周囲画素に含まれる、該サブ画素と異なるＬ方向に表示される、該サブ画素と同じＧ色の合計１２個のサブ画素の階調値を選択する。
【００６０】
補正部１２２は、サブ画素選択部１２１により選択された補正対象のサブ画素の階調値を、サブ画素選択部１２１により選択されたクロストークの影響を与えるサブ画素の階調値に基づいて補正する。
【００６１】
補正部１２２は、電気的クロストーク補正値生成部１２３、光学的クロストーク補正値生成部１２４、および補正値加算部１２５を有する。
【００６２】
電気的クロストーク補正値生成部１２３は、補正対象のサブ画素の階調値と、該サブ画素に電気的クロストークの影響を与えるサブ画素の階調値とに基づき、電気的クロストークを補正するための補正値を生成する。
【００６３】
光学的クロストーク補正値生成部１２４は、補正対象のサブ画素の階調値と、該サブ画素に光学的クロストークの影響を与えるサブ画素の階調値とに基づき、光学的クロストークを補正するための補正値を生成する。
【００６４】
補正値加算部１２５は、電気的クロストーク補正値生成部１２３により生成された補正値と、光学的クロストーク補正値生成部１２４により生成された補正値とを補正対象のサブ画素の階調値に加算して、補正対象のサブ画素のクロストーク補正後の階調値を出力する。
【００６５】
図１２の例では、電気的クロストーク補正値生成部１２３は、補正対象のサブ画素に対して上下左右に隣接する合計４個のサブ画素に対応する合計４個の電気的クロストーク補正用ＬＵＴ１２３−１〜１２３−４を有する。４個の電気的クロストーク補正用ＬＵＴ１２３−１〜１２３−４は、それぞれ、補正対象のサブ画素の階調値と、該ＬＵＴに対応するサブ画素の階調値との組み合わせを補正値に変換し、補正値加算部１２５に出力する。
【００６６】
光学的クロストーク補正値生成部１２４は、図１０に示される合計１２個の光学的クロストークの影響を与えるサブ画素に対応する合計１２個の光学的クロストーク補正用ＬＵＴ１２４−１〜１２４−１２を有する。１２個の光学的クロストーク補正用ＬＵＴ１２４−１〜１２４−１２は、それぞれ、補正対象のサブ画素の階調値と、該ＬＵＴに対応するサブ画素の階調値との組み合わせを補正値に変換し、補正値加算部１２５に出力する。
【００６７】
補正値加算部１２５は、４個の電気的クロストーク補正用ＬＵＴ１２３−１〜１２３−４から出力される合計４個の補正値と、１２個の光学的クロストーク補正用ＬＵＴ１２４−１〜１２４−１２から出力される合計１２個の補正値とを補正対象のサブ画素の階調値に加算して、クロストーク補正後の階調値を出力する。
【００６８】
なお、以上の説明では、Ｇ色のサブ画素を補正対象とする場合を例示しているが、他の色のサブ画素を補正対象とする場合も同様に補正が行われる。
【００６９】
図１３は、実施の形態１の画像表示装置１００の動作を示すフローチャートである。以下、図１３を参照して、画像表示装置１００の動作の一例を説明する。
【００７０】
画像表示装置１００は、表示部４の同一表示画面においてそれぞれ異なる方向に表示される複数の画像が合成された画像を表す画像データＧを受け付ける（Ｓ１）。例えば、画像表示装置１００は、互いに異なる方向に表示される第１および第２の画像が合成された画像であって、それぞれ１以上のサブ画素を含む複数の画素が配列され、第１の画像を構成するサブ画素と第２の画像を構成するサブ画素とが交互に配列された画像の各サブ画素の階調値を表す画像データＧを受け付ける。
【００７１】
ついで、画像表示装置１００は、画像データＧに対して電気的クロストークおよび光学的クロストークの補正を行う（Ｓ２）。具体的には、電気的クロストークの補正については、画像データＧの補正対象のサブ画素の階調値を、該サブ画素に隣接するサブ画素の階調値に基づいて補正する。光学的クロストークの補正については、画像データＧの補正対象のサブ画素の階調値を、該サブ画素が含まれる画素に隣接する画素および該隣接する画素の周囲の画素に含まれる、該サブ画素が構成する画像と異なる画像を構成する、該サブ画素と同色のサブ画素の階調値に基づいて補正する。
【００７２】
上記ステップＳ２は、ステップＳ２−１およびＳ２−２を含む。
ステップＳ２−１では、画像表示装置１００は、画像データＧから、補正対象のサブ画素の階調値と、該サブ画素にクロストークの影響を与えるサブ画素の階調値（すなわち補正に用いるサブ画素の階調値）とを選択する。
ステップＳ２−２では、画像表示装置１００は、ステップＳ２−１で選択された補正対象のサブ画素の階調値を、ステップＳ２−１で選択されたクロストークの影響を与えるサブ画素の階調値に基づいて補正する。
【００７３】
ついで、画像表示装置１００は、ステップＳ２で補正された画像データに対して、表示部４の応答速度を改善するための補正処理を行う（Ｓ３）。具体的には、画像表示装置１００は、ステップＳ２で補正された画像データと、該画像データの１フレーム前の画像データとの比較により得られる１フレーム間の階調値変化に基づいて、表示部４の液晶が１フレーム期間内に所定の透過率となるよう、ステップＳ２で補正された画像データを補正する。
【００７４】
ついで、画像表示装置１００は、ステップＳ３で補正された画像データを表示する（Ｓ４）。具体的には、画像表示装置１００は、補正後の画像データに基づき、複数の画像（例えば第１および第２の画像）をそれぞれ異なる方向（例えば第１および第２の方向）に表示する。
【００７５】
以上説明した通り、本実施の形態では、画像処理装置は、表示部の同一表示画面においてそれぞれ異なる方向に表示される複数の画像が合成された画像を表す画像データの入力を受け、該画像データに対して、表示部で画像を表示する際に生じるクロストークを補正するためのクロストーク補正処理と、表示部の応答速度を改善するための応答速度改善補正処理とを行う。このため、本実施の形態によれば、クロストークを補正し、クロストークの影響を視認されにくくすることができ、さらに表示部の応答速度を改善し、変化の速い動画に対応することが可能となる。
【００７６】
また、本実施の形態では、画像処理装置は、補正対象の画像データ（入力画像データ）に基づいてクロストーク補正処理を行った後に、該クロストーク補正処理後の画像データに基づいて応答速度改善補正処理を行う。このように、応答速度改善補正処理を行う前の画像データを用いてクロストーク補正処理を行うため、より効果的に光学的クロストークの補正を行うことが可能となる。具体的には、応答速度改善補正処理後の画像データを用いて光学的クロストーク補正を行う場合よりも、応答速度改善補正処理を行う前の画像データ（入力画像データ）を用いて光学的クロストーク補正を行う方が光学的クロストークを良好に補正できることが実験上判明した。これは、次の理由によるものと考えられる。光学的クロストークは表示部に実際に表示される画像光に起因するものであるから、光学的クロストークを効果的に補正するためには、表示部に表示される画像光の階調レベルに相応する階調値を持つ画像データに基づいて光学的クロストーク補正を行うことが望ましい。ここで、応答速度改善補正処理では、図２（ｂ）に示されるように、画像データの階調値が増減されるが、この階調値の増減は、駆動電圧を増減するためのものであり、透過率や画像光の階調レベルを増減するものではない。したがって、図２からも分かるように、応答速度改善補正処理後の画像データの階調値は、画像光の階調レベル（透過率）とは異なっており、応答速度改善補正処理前の画像データの階調値の方が画像光の階調レベルにより相応する。よって、応答速度改善補正処理前の画像データに基づいて光学的クロストーク補正を行うことにより、効果的に光学的クロストークを補正することができる。
【００７７】
なお、上記の説明では、第１の画像を構成するサブ画素と第２の画像を構成するサブ画素とが、横方向および縦方向について１サブ画素毎に交互に配列されるパターンを例示したが、第１の画像を構成するサブ画素と第２の画像を構成するサブ画素とは、他のパターンで交互に配列されてもよい。例えば、横方向および縦方向のうちの一方向について第１の画像を構成するサブ画素と第２の画像を構成するサブ画素とが１サブ画素毎に交互に配列され、他方向については同一の画像を構成するサブ画素だけが配列されてもよい。すなわち、画像データＧのサブ画素配列や表示部４の視差バリア構造は、市松状に限られず、ストライプ状など別のパターンであってもよい。また、１サブ画素毎に交互に配列されるパターンに限られず、例えば、２個のサブ画素ずつ交互に配列されてもよいし、第１の画像を構成するサブ画素３個と、第２の画像を構成するサブ画素１個とが交互に配列されてもよい。
【００７８】
また、上記の説明では、１画素がＲＧＢの３色のサブ画素で構成される場合を例示したが、１色、２色、または４色以上のサブ画素で１画素が構成されてもよい。例えば、ＲＧＢに黄色（Ｙ：Ｙｅｌｌｏｗ）を加えた４色のサブ画素で１画素が構成されてもよい。この場合、第１および第２の画像を構成するＲＧＢＹのサブ画素は、例えば下記パターン１や２のように配列される。
（パターン１）
サブ画素の色          ：ＲＧＢＹＧＲＹＢＲＧＢＹＧＲＹＢ
サブ画素が構成する画像：１２１２１２１２１２１２１２１２
（パターン２）
サブ画素の色          ：ＲＧＢＹＲＧＢＹＲＧＢＹＲＧＢＹ
サブ画素が構成する画像：１２１２２１２１１２１２２１２１
【００７９】
また、上記の説明では、２つの画像がそれぞれ異なる方向に表示される場合を主に例示したが、３つ以上の画像がそれぞれ異なる方向に表示されてもよい。すなわち、処理対象の画像データは、３つ以上の画像が合成されたものでもよく、第１の画像を構成するサブ画素と第２の画像を構成するサブ画素とが交互に配列される構造において、他の画像を構成するサブ画素が介在してもよい。
【００８０】
また、上記の説明では、液晶パネルを備える構成を例示したが、本実施の形態の画像処理装置は、有機ＥＬ（エレクトロルミネッセンス）装置やプラズマディスプレイなどの他の種類の電気光学装置にも適用可能である。
【００８１】
また、クロストークの補正について、上記の説明では、電気的クロストークおよび光学的クロストークの両方を補正する構成を例示したが、何れか一方のみを補正する構成であってもよい。一つの態様では、クロストーク補正処理部は、光学的クロストーク補正処理だけを行う。
【００８２】
また、上記の説明では、光学的クロストークについて、隣接画素に含まれるサブ画素の階調値および周囲画素に含まれるサブ画素の階調値に基づいて補正する構成を例示したが、隣接画素に含まれるサブ画素の階調値に基づいて補正し、周囲画素に含まれるサブ画素の階調値を補正に用いない構成とすることも可能である。この構成では、隣接画素による光学的クロストークを視認されにくくすることが可能になる。また、周囲画素に含まれるサブ画素の階調値に基づいて補正し、隣接画素に含まれるサブ画素の階調値を補正に用いない構成とすることも可能である。この構成では、周囲画素による光学的クロストークを視認されにくくすることが可能になる。
【００８３】
また、クロストーク補正処理部２は、表示部４で表現できる１階調の変化より小さい補正を行ってもよい。例えば、クロストーク補正処理部２のＬＵＴの補正値は、画像データまたは表示部４で表現できる１階調よりも小さい成分を含んでいてもよい。この場合、クロストーク補正処理部２の後段に階調変換部が設けられる。この階調変換部は、クロストーク補正処理部２による表示部４の１階調より小さい補正を表示部４において視認できるように、クロストーク補正処理後の画像データに対して階調変換処理を行う。すなわち、階調変換部は、クロストーク補正処理後の画像データの階調数を、表示部４の階調数に適合するように変換する。階調変換処理としては、例えばディザ処理や誤差拡散処理などがある。同様に、応答速度改善補正処理部３は、表示部４で表現できる１階調の変化より小さい補正を行ってもよい。例えば、応答速度改善補正処理部３のＬＵＴの補正値は、画像データまたは表示部４で表現できる１階調よりも小さい成分を含んでいてもよい。この場合、応答速度改善補正処理部３の後段に階調変換部が設けられる。この階調変換部は、上記クロストーク補正処理部２について設けられるものと同様である。
【００８４】
また、上記の説明では、クロストークの補正について、合計１６個のＬＵＴを用いる構成を例示したが、ＬＵＴの個数は適宜変更可能であり、例えば、ＬＵＴが占有する容量を削減する観点より下記（１）〜（６）のようにＬＵＴの個数を削減してもよい。
【００８５】
（１）電気的クロストークについて、上下方向の２つのサブ画素もしくは左右方向の２つのサブ画素について１つのＬＵＴを共用してもよい。これにより、電気的クロストーク補正用ＬＵＴの数を４個から２個にまで削減できる。
【００８６】
（２）実験的に、電気的クロストークについては、特にソースライン方向の影響が大きく、ゲートライン方向に比べて２倍から３倍程度の影響があることが分かった。そこで、影響が大きい左右方向のサブ画素に対応するＬＵＴのみを用いて補正を行ってもよい。これにより、電気的クロストーク補正用ＬＵＴの数を４個から２個にまで削減でき、左右方向の２つのサブ画素について１つのＬＵＴを共用する場合には、さらに１個にまで削減できる。
【００８７】
（３）電気的クロストークについては、画像の走査方向の下流側で隣接するサブ画素からの影響が大きい傾向がある。そこで、画像が左上から右下へ走査される場合、右（ソースライン方向）および下（ゲートライン方向）に隣接するサブ画素に対応するＬＵＴのみを用いてもよい。これにより、電気的クロストーク補正用ＬＵＴの数を４個から２個にまで削減できる。
【００８８】
（４）光学的クロストークについて、サブ画素選択部１２１において、図１０において座標（ｘ，ｙ）のＧ色のサブ画素に対して左上方向にある座標（ｘ−１，ｙ−２）および座標（ｘ−２，ｙ−１）のＧ色のサブ画素の階調値の平均値を求め、この平均値に対して１つのＬＵＴを用いてもよい。すなわち、該平均値と補正対象のサブ画素の階調値との組み合わせを入力データとする１つのＬＵＴを用いてもよい。同様に、右上方向、左下方向、右下方向についても、２つのサブ画素に対して１つのＬＵＴを用いてもよい。このように各斜め方向について、２つのサブ画素の階調値の平均値に対して１つのＬＵＴを用いることで、光学的クロストーク補正用ＬＵＴの数を１２個から８個にまで削減できる。
【００８９】
（５）光学的クロストークについて、サブ画素選択部１２１において、図１０において座標（ｘ，ｙ）のＧ色のサブ画素に対して左方向にある座標（ｘ−１，ｙ）および左上方向にある座標（ｘ−２，ｙ−１）および左下方向にある座標（ｘ−２，ｙ＋１）のＧ色のサブ画素の階調値に対して、座標（ｘ，ｙ）からの距離に応じた加重加算を行い、この結果に対して１つのＬＵＴを用いてもよい。上、下、右方向についても同様に３つのサブ画素の加重加算結果に対して１つのＬＵＴを用いることで、光学的クロストーク補正用ＬＵＴの数を１２個から４個にまで削減できる。さらに、上下方向よりも左右方向にあるサブ画素による光学的クロストークの影響のほうが大きいとすれば、上下方向のＬＵＴをなくして、さらにＬＵＴの数を半分の２個にまで削減できる。
【００９０】
（６）市松状の視差バリア構造を持つ場合、図１０に示すように同じ方向に提示される同色のサブ画素は斜め方向に最も隣接して位置していることから、斜め方向の解像度が高くなる。このように斜め方向の解像度が高い場合には、視聴者にとって斜め方向は先鋭に見えることになり、先鋭に見えるがためにクロストークの影響もよりはっきりと見える。そこで、斜め方向の解像度が高い場合には、斜め方向の光学的クロストーク補正を重点的にかける目的で、クロストークの影響を及ぼすサブ画素（すなわち補正に用いるサブ画素）として、周囲画素に含まれる斜め方向に位置する同色のサブ画素（合計８個）のみを用いてもよい。この場合、さらに、座標（ｘ，ｙ）のＧ色のサブ画素に対して左上方向にある座標（ｘ−１，ｙ−２）および座標（ｘ−２，ｙ−１）のＧ色のサブ画素の階調値の平均値を求め、この平均値に対して１つのＬＵＴを用いてもよい。右上、左下、右下方向についても同様の処理を行うことで、光学的クロストーク補正用ＬＵＴの数を４個に減らしてもよい。
【００９１】
さらに、下記（７）、（８）のようにＬＵＴを用いてもよい。
（７）サブ画素選択部１２１でクロストークの影響を与えるサブ画素を選択し、選択されたサブ画素の階調値を補正対象のサブ画素の階調値とともに各ＬＵＴへ入力する際、補正対象のサブ画素が提示される方向によって別々のＬＵＴに入力してもよい。すなわち、補正対象のサブ画素が提示される方向によって別々のＬＵＴを用いてもよい。
方向別画像表示装置では、製造上の問題や、製品の仕様によって提示方向を偏らせる場合がある。このような場合、上述のように補正対象のサブ画素が提示される方向によって用いるＬＵＴを変えることで、その方向に適した補正を行うことができる。
【００９２】
（８）同じＬＵＴであっても、補正対象のサブ画素が提示される方向によって、その階調値が入力されるサブ画素を変えてもよい。具体的には、あるＬＵＴについて、Ｌ方向へ提示されるサブ画素を補正する場合は該サブ画素の右方向に隣接するサブ画素の階調値を入力し、Ｒ方向へ提示されるサブ画素を補正する場合は該サブ画素の左方向に隣接するサブ画素の階調値を入力する。
例えば反射による光学的クロストークであれば、補正対象のサブ画素に対してクロストークの影響を与える反対方向へ提示されるサブ画素の位置は、視聴者が画面を見る方向によって逆になる。上述のように補正対象のサブ画素が提示される方向によって階調値がＬＵＴに入力されるサブ画素を変えることで、視聴方向によるクロストークの発生状況の違いを鑑みた補正を行うことができる。
【００９３】
実施の形態２．
図１４は、実施の形態２の画像表示装置１４０の構成を概略的に示すブロック図である。本実施の形態の画像表示装置１４０は、上記実施の形態１のものに対し、補正処理の順序において異なっており、その他の部分については殆ど同じである。以下の説明では、実施の形態１と同様の部分については、同一の符号を用い、説明を省略または簡略化することとする。
【００９４】
本実施の形態２では、応答速度改善補正処理部３は、補正対象の画像データＧに基づいて応答速度改善補正処理を行い、クロストーク補正処理部２は、応答速度改善補正処理部３により補正された画像データＤｏに基づいてクロストーク補正処理を行う。具体的には、画像データ処理部１４１において、応答速度改善補正処理部３の後段にクロストーク補正処理部２が配置されている。画像データ処理部１４１は、入力端子１に入力された画像データＧに対し、応答速度改善補正処理部３にて補正処理を行い、補正画像データＤｏを生成する。次に、画像データ処理部１４１は、画像データＤｏに対して、クロストーク補正処理部２にて補正処理を行い、補正画像データＤｊを出力する。応答速度改善補正処理部３およびクロストーク補正処理部２の処理内容は、実施の形態１と同様である。
【００９５】
図１５は、実施の形態２の画像表示装置１４０の動作を示すフローチャートである。以下、図１５を参照して、画像表示装置１４０の動作の一例を説明する。
【００９６】
画像表示装置１４０は、表示部４の同一表示画面においてそれぞれ異なる方向に表示される複数の画像が合成された画像を表す画像データＧを受け付ける（Ｓ１１）。
【００９７】
ついで、画像表示装置１４０は、画像データＧに対して、応答速度改善補正処理を行う（Ｓ１２）。
【００９８】
ついで、画像表示装置１４０は、ステップＳ１２で補正された画像データに対して、電気的クロストークおよび光学的クロストークの補正を行う（Ｓ１３）。
【００９９】
上記ステップＳ１３は、ステップＳ１３−１およびＳ１３−２を含む。
ステップＳ１３−１では、画像表示装置１４０は、画像データＤｏから、補正対象のサブ画素の階調値と、該サブ画素にクロストークの影響を与えるサブ画素の階調値（すなわち補正に用いるサブ画素の階調値）とを選択する。
ステップＳ１３−２では、画像表示装置１４０は、ステップＳ１３−１で選択された補正対象のサブ画素の階調値を、ステップＳ１３−１で選択されたクロストークの影響を与えるサブ画素の階調値に基づいて補正する。
【０１００】
ついで、画像表示装置１４０は、ステップＳ１３で補正された画像データを表示する（Ｓ１４）。具体的には、画像表示装置１４０は、補正後の画像データに基づき、複数の画像をそれぞれ異なる方向に表示する。
【０１０１】
以上説明した通り、本実施の形態では、画像処理装置は、補正対象の画像データ（入力画像データ）に基づいて応答速度改善補正処理を行った後に、該応答速度改善補正処理後の画像データに基づいてクロストーク補正処理を行う。このため、本実施の形態によれば、クロストークの影響を視認されにくくすることができ、さらに変化の速い動画に対応することが可能となる。また、応答速度改善補正処理後の画像データを用いてクロストーク補正処理を行うため、より効果的に電気的クロストークの補正を行うことが可能となる。具体的には、応答速度改善補正処理を行う前の画像データ（入力画像データ）を用いて電気的クロストーク補正を行う場合よりも、応答速度改善補正処理後の画像データを用いて電気的クロストーク補正を行う方が電気的クロストークを良好に補正できることが実験上判明した。これは、次の理由によるものと考えられる。
【０１０２】
図１６は、入力端子１に入力された画像データＧが応答速度改善補正処理部３にて補正される様子を示す図である。図１６において、（ａ）は画像データＧの階調値の時間変化を示し、（ｂ）は補正画像データＤｏの階調値の時間変化を示している。図１６に示されるように、画像データＧの階調値が増加または減少する場合、補正量Ｖ１またはＶ２が画像データＧの階調値に加算または減算されることにより、補正画像データＤｏが生成される。
【０１０３】
電気的クロストークは、実施の形態１で述べたように、或るサブ画素に対する電気信号が隣接するサブ画素に電気的に影響を及ぼすことによって発生するものである。具体的には、電気的クロストークは、表示部４の液晶に印加される液晶駆動電圧に起因するものである。したがって、電気的クロストークを効果的に補正するためには、液晶駆動電圧（または電気信号）のレベルに相応する階調値を持つ画像データに基づいて電気的クロストーク補正を行うことが望ましい。応答速度改善補正処理では、図１６（ｂ）に示されるように画像データの階調値が増減され、この階調値の増減は液晶駆動電圧を増減するものである。したがって、応答速度改善補正処理前の画像データＧの階調値よりも、応答速度改善補正処理後の画像データＤｏの階調値の方が、液晶駆動電圧のレベルにより相応する。よって、応答速度改善補正処理後の画像データに基づいて電気的クロストーク補正を行うことにより、効果的に電気的クロストークを補正することができる。
【０１０４】
また、次のように考えることもできる。応答速度改善補正処理により画像データのサブ画素の階調値が増減すると、該補正後の階調値に基づいて印加される液晶駆動電圧が増減する。この液晶駆動電圧の増減が該サブ画素に隣接するサブ画素に電気的に影響を及ぼし、電気的クロストークが発生する。応答速度改善補正処理後の画像データに基づいてクロストーク補正処理を行う構成によれば、応答速度改善補正処理により発生する電気的クロストークを補正することが可能である。すなわち、応答速度改善補正処理にて発生する階調値の増減による液晶駆動電圧の増減に対し、電気的クロストーク補正を行うことができ、電気的クロストークを良好に補正することができる。
【０１０５】
実施の形態３．
図１７は、実施の形態３の画像表示装置１７０の構成を概略的に示すブロック図である。本実施の形態の画像表示装置１７０は、上記実施の形態１または２のものに対し、補正処理の順序において異なっており、その他の部分については殆ど同じである。以下の説明では、実施の形態１または２と同様の部分については、同一の符号を用い、説明を省略または簡略化することとする。
【０１０６】
本実施の形態３では、クロストーク補正処理部１７２は、光学的クロストーク補正処理を行う光学的クロストーク補正処理部１７３と、電気的クロストーク補正処理を行う電気的クロストーク補正処理部１７４とを有する。そして、光学的クロストーク補正処理部１７３は、補正対象の画像データＧに基づいて光学的クロストーク補正処理を行い、応答速度改善補正処理部３は、光学的クロストーク補正処理部１７４により補正された画像データＤｘｏに基づいて応答速度改善補正処理を行い、電気的クロストーク補正処理部１７４は、応答速度改善補正処理部３により補正された画像データＤｏに基づいて電気的クロストーク補正処理を行う。具体的には、画像データ処理部１７１において、光学的クロストーク補正処理部１７３の後段に応答速度改善補正処理部３が配置され、応答速度改善補正処理部３の後段に電気的クロストーク補正処理部１７４が配置されている。画像データ処理部１７１は、入力端子１に入力された画像データＧに対し、光学的クロストーク補正処理部１７３にて光学的クロストーク補正処理を行い、補正画像データＤｘｏを生成する。次に、画像データ処理部１７１は、画像データＤｘｏに対して、応答速度改善補正処理部３にて応答速度改善補正処理を行い、補正画像データＤｏを生成する。次に、画像データ処理部１７１は、画像データＤｏに対して、電気的クロストーク補正処理部１７４にて電気的クロストーク補正処理を行い、補正画像データＤｊを出力する。応答速度改善補正処理部３は、実施の形態１または２と同様である。
【０１０７】
図１８は、光学的クロストーク補正処理部１７３の構成の一例を示すブロック図である。以下、図１８を参照して、光学的クロストーク補正処理部１７３の構成について説明する。図１８において、光学的クロストーク補正処理部１７３は、サブ画素選択部１８１と、補正部１８２とを備える。
【０１０８】
サブ画素選択部１８１は、画像データＧを受け付け、該画像データＧから補正対象のサブ画素の階調値と、該サブ画素に光学的クロストークの影響を与えるサブ画素の階調値（すなわち補正に用いるサブ画素の階調値）とを選択する。具体的には、サブ画素選択部１８１は、クロストークの影響を与えるサブ画素の階調値として、補正対象のサブ画素が含まれる画素に隣接する画素および該隣接する画素の周囲の画素に含まれる、該サブ画素が構成する画像と異なる画像を構成する、該サブ画素と同色のサブ画素の階調値を選択する。例えば、図７の座標（ｘ，ｙ）のＲ方向のＧ色のサブ画素を補正対象とする場合、サブ画素選択部１８１は、図１０に示される、座標（ｘ，ｙ）の画素に対する隣接画素および周囲画素に含まれる、該サブ画素と異なるＬ方向に表示される、該サブ画素と同じＧ色の合計１２個のサブ画素の階調値を選択する。
【０１０９】
補正部１８２は、サブ画素選択部１８１により選択された補正対象のサブ画素の階調値を、サブ画素選択部１８１により選択された光学的クロストークの影響を与えるサブ画素の階調値に基づいて補正する。
【０１１０】
補正部１８２は、光学的クロストーク補正値生成部１８４および補正値加算部１８５を有する。
【０１１１】
光学的クロストーク補正値生成部１８４は、補正対象のサブ画素の階調値と、該サブ画素に光学的クロストークの影響を与えるサブ画素の階調値とに基づき、光学的クロストークを補正するための補正値を生成する。
【０１１２】
補正値加算部１８５は、光学的クロストーク補正値生成部１８４により生成された補正値を補正対象のサブ画素の階調値に加算して、補正対象のサブ画素の光学的クロストーク補正後の階調値を出力する。
【０１１３】
図１８の例では、光学的クロストーク補正値生成部１８４は、図１０に示される合計１２個の光学的クロストークの影響を与えるサブ画素に対応する合計１２個の光学的クロストーク補正用ＬＵＴ１８４−１〜１８４−１２を有する。１２個の光学的クロストーク補正用ＬＵＴ１８４−１〜１８４−１２は、それぞれ、補正対象のサブ画素の階調値と、該ＬＵＴに対応するサブ画素の階調値との組み合わせを補正値に変換し、補正値加算部１８５に出力する。
【０１１４】
補正値加算部１８５は、１２個の光学的クロストーク補正用ＬＵＴ１８４−１〜１８４−１２から出力される合計１２個の補正値を補正対象のサブ画素の階調値に加算して、光学的クロストーク補正後の階調値を出力する。
【０１１５】
なお、以上の説明では、Ｇ色のサブ画素を補正対象とする場合を例示しているが、他の色のサブ画素を補正対象とする場合も同様に補正が行われる。
【０１１６】
図１９は、電気的クロストーク補正処理部１７４の構成の一例を示すブロック図である。以下、図１９を参照して、電気的クロストーク補正処理部１７４の構成について説明する。図１９において、電気的クロストーク補正処理部１７４は、サブ画素選択部１９１と、補正部１９２とを備える。
【０１１７】
サブ画素選択部１９１は、画像データＤｏを受け付け、該画像データＤｏから補正対象のサブ画素の階調値と、該サブ画素に電気的クロストークの影響を与えるサブ画素の階調値（すなわち補正に用いるサブ画素の階調値）とを選択する。具体的には、サブ画素選択部１９１は、電気的クロストークの影響を与えるサブ画素の階調値として、補正対象のサブ画素に対して上下左右に隣接する合計４個のサブ画素の階調値を選択する。
【０１１８】
補正部１９２は、サブ画素選択部１９１により選択された補正対象のサブ画素の階調値を、サブ画素選択部１９１により選択された電気的クロストークの影響を与えるサブ画素の階調値に基づいて補正する。
【０１１９】
補正部１９２は、電気的クロストーク補正値生成部１９３および補正値加算部１９５を有する。
【０１２０】
電気的クロストーク補正値生成部１９３は、補正対象のサブ画素の階調値と、該サブ画素に電気的クロストークの影響を与えるサブ画素の階調値とに基づき、電気的クロストークを補正するための補正値を生成する。
【０１２１】
補正値加算部１９５は、電気的クロストーク補正値生成部１９３により生成された補正値を補正対象のサブ画素の階調値に加算して、補正対象のサブ画素の電気的クロストーク補正後の階調値を出力する。
【０１２２】
図１９の例では、電気的クロストーク補正値生成部１９３は、補正対象のサブ画素に対して上下左右に隣接する合計４個のサブ画素に対応する合計４個の電気的クロストーク補正用ＬＵＴ１９３−１〜１９３−４を有する。４個の電気的クロストーク補正用ＬＵＴ１９３−１〜１９３−４は、それぞれ、補正対象のサブ画素の階調値と、該ＬＵＴに対応するサブ画素の階調値との組み合わせを補正値に変換し、補正値加算部１９５に出力する。
【０１２３】
補正値加算部１９５は、４個の電気的クロストーク補正用ＬＵＴ１９３−１〜１９３−４から出力される合計４個の補正値を補正対象のサブ画素の階調値に加算して、電気的クロストーク補正後の階調値を出力する。
【０１２４】
なお、以上の説明では、Ｇ色のサブ画素を補正対象とする場合を例示しているが、他の色のサブ画素を補正対象とする場合も同様に補正が行われる。
【０１２５】
図２０は、実施の形態３の画像表示装置１７０の動作を示すフローチャートである。以下、図２０を参照して、画像表示装置１７０の動作の一例を説明する。
【０１２６】
画像表示装置１７０は、表示部４の同一表示画面においてそれぞれ異なる方向に表示される複数の画像が合成された画像を表す画像データＧを受け付ける（Ｓ２１）。
【０１２７】
ついで、画像表示装置１７０は、画像データＧに対して、光学的クロストーク補正処理を行う（Ｓ２２）。
【０１２８】
上記ステップＳ２２は、ステップＳ２２−１およびＳ２２−２を含む。
ステップＳ２２−１では、画像表示装置１７０は、画像データＧから、補正対象のサブ画素の階調値と、該サブ画素に光学的クロストークの影響を与えるサブ画素の階調値（すなわち補正に用いるサブ画素の階調値）とを選択する。
ステップＳ２２−２では、画像表示装置１７０は、ステップＳ２２−１で選択された補正対象のサブ画素の階調値を、ステップＳ２２−１で選択された光学的クロストークの影響を与えるサブ画素の階調値に基づいて補正する。
【０１２９】
ついで、画像表示装置１７０は、ステップＳ２２で補正された画像データＤｘｏに対して、応答速度改善補正処理を行う（Ｓ２３）。
【０１３０】
ついで、画像表示装置１７０は、ステップＳ２３で補正された画像データＤｏに対して、電気的クロストーク補正処理を行う（Ｓ２４）。
【０１３１】
上記ステップＳ２４は、ステップＳ２４−１およびＳ２４−２を含む。
ステップＳ２４−１では、画像表示装置１７０は、画像データＤｏから、補正対象のサブ画素の階調値と、該サブ画素に電気的クロストークの影響を与えるサブ画素の階調値（すなわち補正に用いるサブ画素の階調値）とを選択する。
ステップＳ２４−２では、画像表示装置１７０は、ステップＳ２４−１で選択された補正対象のサブ画素の階調値を、ステップＳ２４−１で選択された電気的クロストークの影響を与えるサブ画素の階調値に基づいて補正する。
【０１３２】
ついで、画像表示装置１７０は、ステップＳ２４で補正された画像データを表示する（Ｓ２５）。具体的には、画像表示装置１７０は、補正後の画像データに基づき、複数の画像をそれぞれ異なる方向に表示する。
【０１３３】
以上説明した通り、本実施の形態３では、画像処理装置は、補正対象の画像データ（入力画像データ）に基づいて光学的クロストーク補正処理を行った後に、光学的クロストーク補正処理後の画像データに基づいて応答速度改善補正処理を行い、さらに、該応答速度改善補正処理後の画像データに基づいて電気的クロストーク補正処理を行う。このため、本実施の形態によれば、クロストークの影響を視認されにくくすることができ、さらに変化の速い動画に対応することが可能となる。また、応答速度改善補正処理を行う前の画像データを用いて光学的クロストーク補正処理を行うため、より効果的に光学的クロストークの補正を行うことが可能となる。また、応答速度改善補正処理後の画像データを用いて電気的クロストーク補正処理を行うため、より効果的に電気的クロストークの補正を行うことが可能となる。
【０１３４】
実施の形態４．
図２１は、実施の形態４の画像表示装置２１０の構成を概略的に示すブロック図である。本実施の形態の画像表示装置２１０は、上記実施の形態２のものに対し、クロストーク補正処理において異なっており、その他の部分については殆ど同じである。以下の説明では、実施の形態１または２と同様の部分については、同一の符号を用い、説明を省略または簡略化することとする。
【０１３５】
本実施の形態４では、クロストーク補正処理部２１２は、補正対象の画像データＧに基づいて光学的クロストークを補正するための光学的クロストーク補正値を生成し、応答速度改善補正処理部３により補正された画像データＤｏに基づいて電気的クロストークを補正するための電気的クロストーク補正値を生成し、上記光学的クロストーク補正値および電気的クロストーク補正値を用いて、応答速度改善補正処理部３により補正された画像データＤｏに対して、光学的クロストーク補正処理および電気的クロストーク補正処理を行う。具体的には、画像データ処理部２１１は、入力端子１に入力された画像データＧに対し、応答速度改善補正処理部３にて応答速度改善補正処理を行い、補正画像データＤｏを生成する。次に、画像データ処理部２１１は、画像データＤｏに対して、クロストーク補正処理部２１２にて光学的クロストーク補正処理および電気的クロストーク補正処理を行い、補正画像データＤｊを出力する。このとき、クロストーク補正処理部２１２は、補正対象の画像データＧに基づいて光学的クロストーク補正値を生成し、応答速度改善補正処理部３により補正された補正画像データＤｏに基づいて電気的クロストーク補正値を生成し、該光学的クロストーク補正値および電気的クロストーク補正値を用いて、該補正画像データＤｏに対して、光学的クロストーク補正処理および電気的クロストーク補正処理を行い、補正画像データＤｊを出力する。応答速度改善補正処理部３は、実施の形態１、２、または３と同様である。
【０１３６】
図２２は、クロストーク補正処理部２１２の構成の一例を示すブロック図である。以下、図２２を参照して、クロストーク補正処理部２１２の構成について説明する。図２２において、クロストーク補正処理部２１２は、光学的クロストーク補正用のサブ画素選択部２２１と、電気的クロストーク補正用のサブ画素選択部２２２と、補正部２２３とを備える。
【０１３７】
光学的クロストーク補正用のサブ画素選択部２２１は、画像データＧを受け付け、該画像データＧから補正対象のサブ画素の階調値と、該サブ画素に光学的クロストークの影響を与えるサブ画素の階調値（すなわち補正に用いるサブ画素の階調値）とを選択する。具体的には、サブ画素選択部２２１は、クロストークの影響を与えるサブ画素の階調値として、補正対象のサブ画素が含まれる画素に隣接する画素および該隣接する画素の周囲の画素に含まれる、該サブ画素が構成する画像と異なる画像を構成する、該サブ画素と同色のサブ画素の階調値を選択する。例えば、図７の座標（ｘ，ｙ）のＲ方向のＧ色のサブ画素を補正対象とする場合、サブ画素選択部２２１は、図１０に示される、座標（ｘ，ｙ）の画素に対する隣接画素および周囲画素に含まれる、該サブ画素と異なるＬ方向に表示される、該サブ画素と同じＧ色の合計１２個のサブ画素の階調値を選択する。
【０１３８】
電気的クロストーク補正用のサブ画素選択部２２２は、応答速度改善補正処理部３により補正された補正画像データＤｏを受け付け、該補正画像データＤｏから補正対象のサブ画素の階調値と、該サブ画素に電気的クロストークの影響を与えるサブ画素の階調値（すなわち補正に用いるサブ画素の階調値）とを選択する。具体的には、サブ画素選択部２２２は、電気的クロストークの影響を与えるサブ画素の階調値として、補正対象のサブ画素に対して上下左右に隣接する合計４個のサブ画素の階調値を選択する。
【０１３９】
補正部２２３は、サブ画素選択部２２２により選択された補正対象のサブ画素の階調値を、サブ画素選択部２２１および２２２により選択されたクロストークの影響を与えるサブ画素の階調値に基づいて補正する。
【０１４０】
補正部２２３は、光学的クロストーク補正値生成部２２４、電気的クロストーク補正値生成部２２５、および補正値加算部２２６を有する。
【０１４１】
光学的クロストーク補正値生成部２２４は、画像データＧから選択された補正対象のサブ画素の階調値（すなわち応答速度改善補正処理前の画像データの補正対象のサブ画素の階調値）と、該サブ画素に光学的クロストークの影響を与えるサブ画素の階調値とに基づき、光学的クロストークを補正するための補正値を生成する。
【０１４２】
電気的クロストーク補正値生成部２２５は、応答速度改善補正処理後の補正画像データＤｏから選択された補正対象のサブ画素の階調値と、該サブ画素に電気的クロストークの影響を与えるサブ画素の階調値とに基づき、電気的クロストークを補正するための補正値を生成する。
【０１４３】
補正値加算部２２６は、光学的クロストーク補正値生成部２２４により生成された補正値と、電気的クロストーク補正値生成部２２５により生成された補正値とを、応答速度改善補正処理後の補正画像データＤｏの補正対象のサブ画素の階調値に加算して、補正対象のサブ画素のクロストーク補正後の階調値を出力する。
【０１４４】
図２２の例では、光学的クロストーク補正値生成部２２４は、図１０に示される合計１２個の光学的クロストークの影響を与えるサブ画素に対応する合計１２個の光学的クロストーク補正用ＬＵＴ２２４−１〜２２４−１２を有する。１２個の光学的クロストーク補正用ＬＵＴ２２４−１〜２２４−１２は、それぞれ、補正対象のサブ画素の階調値と、該ＬＵＴに対応するサブ画素の階調値との組み合わせを補正値に変換し、補正値加算部２２６に出力する。
【０１４５】
電気的クロストーク補正値生成部２２５は、補正対象のサブ画素に対して上下左右に隣接する合計４個のサブ画素に対応する合計４個の電気的クロストーク補正用ＬＵＴ２２５−１〜２２５−４を有する。４個の電気的クロストーク補正用ＬＵＴ２２５−１〜２２５−４は、それぞれ、補正対象のサブ画素の階調値と、該ＬＵＴに対応するサブ画素の階調値との組み合わせを補正値に変換し、補正値加算部２２６に出力する。
【０１４６】
補正値加算部２２６は、１２個の光学的クロストーク補正用ＬＵＴ２２４−１〜２２４−１２から出力される合計１２個の補正値と、４個の電気的クロストーク補正用ＬＵＴ２２５−１〜２２５−４から出力される合計４個の補正値とを、応答速度改善補正処理後の補正画像データＤｏの補正対象のサブ画素の階調値に加算して、クロストーク補正後の階調値を出力する。
【０１４７】
なお、以上の説明では、Ｇ色のサブ画素を補正対象とする場合を例示しているが、他の色のサブ画素を補正対象とする場合も同様に補正が行われる。
【０１４８】
以上説明した通り、本実施の形態４では、画像処理装置は、補正対象の画像データに基づいて光学的クロストーク補正値を生成し、応答速度改善補正処理後の画像データに基づいて電気的クロストーク補正値を生成し、該光学的クロストーク補正値および電気的クロストーク補正値を用いて、応答速度改善補正処理後の画像データに対して、光学的クロストーク補正処理および電気的クロストーク補正処理を行う。このため、本実施の形態によれば、クロストークの影響を視認されにくくすることができ、さらに変化の速い動画に対応することが可能となる。また、応答速度改善補正処理を行う前の画像データを用いて光学的クロストーク補正値を生成するため、より効果的に光学的クロストークの補正を行うことが可能となる。また、応答速度改善補正処理後の画像データを用いて電気的クロストーク補正値を生成するため、より効果的に電気的クロストークの補正を行うことが可能となる。さらに、光学的クロストーク補正処理と電気的クロストーク補正処理を同時に行うことができ、これによりクロストーク補正処理部の構成を簡素化し、回路規模を縮小することができる。
【０１４９】
実施の形態５．
図２３は、実施の形態５の画像表示装置２３０の構成を概略的に示すブロック図である。この画像表示装置２３０は、上記実施の形態１のものに対し、温度によって補正処理の補正量を変更する点において異なっており、その他の部分については殆ど同じである。以下の説明では、実施の形態１と同様の部分については、同一の符号を用い、説明を省略または簡略化することとする。
【０１５０】
本実施の形態５では、クロストーク補正処理部２３２および応答速度改善補正処理部２３３は、画像表示装置２３０の温度または該画像表示装置２３０の周辺の温度によって、該クロストーク補正処理部２３２および応答速度改善補正処理部２３３による補正処理の補正量を変更する。具体的には、クロストーク補正処理部２３２は、画像表示装置２３０またはその周辺の温度によって、サブ画素の階調値の組み合わせに対応する補正値を変更する。また、応答速度改善補正処理部２３３は、画像表示装置２３０またはその周辺の温度によって、補正対象の画像データの階調値の変化に対応する補正値を変更する。
【０１５１】
図２３の例では、画像表示装置２３０は、温度センサ２３４とＡ／Ｄコンバータ２３５とを有する。温度センサ２３４は、画像表示装置２３０またはその周辺の温度を検出し、該温度を示すアナログ信号をＡ／Ｄコンバータ２３５に出力する。Ａ／Ｄコンバータ２３５は、温度センサ２３４からのアナログ信号をデジタル信号である温度情報Ｔに変換して、クロストーク補正処理部２３２および応答速度改善補正処理部２３３に供給する。クロストーク補正処理部２３２は、温度情報Ｔに応じてクロストーク補正の補正量を変更する。応答速度改善補正処理部２３３は、温度情報Ｔに応じて応答速度改善補正の補正量を変更する。
【０１５２】
図２４は、実施の形態５のクロストーク補正処理部２３２の構成の一例を示すブロック図である。図２４において、クロストーク補正処理部２３２は、ＬＵＴデータ格納部２４１およびＬＵＴ制御部２４２を有する。
【０１５３】
ＬＵＴデータ格納部２４１は、クロストーク補正処理部２３２の各ＬＵＴについて、該ＬＵＴにより示されるサブ画素の階調値と補正値との対応関係を変更するためのデータを記憶している。具体的には、ＬＵＴデータ格納部２４１は、各ＬＵＴについて、各温度に対応するＬＵＴデータ（サブ画素の階調値と補正値との対応関係を示す変換テーブルを表すデータ）を記憶している。ＬＵＴデータ格納部２４１は、具体的には、ＥＥＰＲＯＭ（Electrically Erasable and Programmable Read Only Memory）などの不揮発性の記憶媒体で構成される。
【０１５４】
ＬＵＴ制御部２４２は、画像表示装置２３０またはその周辺の温度を示す温度情報Ｔを受け、該温度情報Ｔに応じて、クロストーク補正処理部２３２の各ＬＵＴについて、該ＬＵＴにより示されるサブ画素の階調値と補正値との対応関係を変更する。具体的には、ＬＵＴ制御部２４２は、ＬＵＴデータ格納部２４１から温度情報Ｔに対応する各ＬＵＴのＬＵＴデータを読み出し、該各ＬＵＴデータに基づいて各ＬＵＴの書き換えを行う。
【０１５５】
応答速度改善補正処理部２３３も、上記クロストーク補正処理部２３２と同様に、温度情報Ｔに応じて、階調値の変化と補正値とが対応付けられたＬＵＴの変更を行う。すなわち、応答速度改善補正処理部２３３は、各温度に対応するＬＵＴデータ（サブ画素の階調値の変化と補正値との対応関係を示す変換テーブルを表すデータ）を記憶しているＬＵＴデータ格納部と、該ＬＵＴデータ格納部から温度情報Ｔに対応するＬＵＴデータを読み出し、該ＬＵＴデータに基づいてＬＵＴの書き換えを行うＬＵＴ制御部を有する。
【０１５６】
このように、本実施の形態では、クロストーク補正処理部は、画像表示装置の温度または該画像表示装置の周辺の温度によってクロストーク補正の補正量を変更する。これにより、画像表示装置またはその周辺の温度に応じた適切なクロストーク補正を行うことができる。具体的には、温度情報に応じてクロストーク補正処理における補正値を調整することにより、温度によって画像表示装置の特性が変わり、クロストークの発生状況が変わっても、それに追随して正確なクロストーク補正を行うことができる。すなわち、画像表示装置において温度によってガンマカーブ等が変化するのと同様、電気的クロストークおよび光学的クロストークの発生状況が変化することに対応可能となり、クロストークによる二重像が視認されにくくなる。
【０１５７】
また、本実施の形態では、応答速度改善補正処理部は、画像表示装置の温度または該画像表示装置の周辺の温度によって応答速度改善補正の補正量を変更する。これにより、画像表示装置またはその周辺の温度に応じた適切な応答速度改善補正を行うことができる。具体的には、温度情報に応じて応答速度改善補正処理における補正値を調整することにより、温度によって画像表示装置の特性が変わり、表示部（例えば液晶）の応答特性が変わっても、それに追随して正確な補正を行うことができる。すなわち、画像表示装置において温度によってガンマカーブ等が変化するのと同様、表示部の応答特性が変化することに対応可能となり、表示部の応答速度を改善し、変化の速い動画に対応することが可能となる。
【０１５８】
なお、上記の説明では、ＬＵＴ制御部２４２がＬＵＴ格納部２４１からＬＵＴデータを読み出す構成を例示したが、ＬＵＴ制御部２４２が画像表示装置２３０のマイコン（図示しない）で演算により生成されたＬＵＴデータを受け取る構成としてもよい。このような構成では、ＬＵＴ格納部２４１は省略されてもよい。
【０１５９】
また、上記の説明では、ＬＵＴの書き換えにより温度変化に対応する構成を例示したが、クロストーク補正処理部２３２が、異なる温度に対応する複数個のＬＵＴを有し、温度情報Ｔで示される温度に対応するＬＵＴが存在する場合には該ＬＵＴにより補正値を求め、該温度に対応するＬＵＴが存在しない場合には補間により補正値を求める構成としてもよい。例えば、クロストーク補正処理部２３２は、０℃用のＬＵＴと３０℃用のＬＵＴとを有し、温度情報Ｔが０℃または３０℃を示す場合には、０℃用のＬＵＴまたは３０℃用のＬＵＴを用いて補正値を求め、温度情報Ｔが０℃と３０℃の間の温度（例えば１５℃）を示す場合には、上記２つのＬＵＴから得られる補正値から該温度（例えば１５℃）に対応する補正値を補間により求めてもよい。
【０１６０】
また、上記の説明では、クロストーク補正処理部の各ＬＵＴを変更する構成を例示したが、光学的クロストーク補正用ＬＵＴだけを変更するなど、クロストーク補正処理部の一部のＬＵＴだけを変更する構成としてもよい。
【０１６１】
また、上記の説明では、クロストーク補正処理部および応答速度改善補正処理部の補正値を変更する構成を例示したが、応答速度改善補正処理部の補正値だけを変更するなど、画像データ処理部の一部の補正値だけを変更する構成としてもよい。
【０１６２】
また、本実施の形態の構成、すなわち温度によって補正量を変更する構成は、実施の形態２、３、または４の画像表示装置に適用されてもよい。
【０１６３】
以上説明した実施の形態１〜５では、本発明の画像処理装置は、クロストーク補正処理部および応答速度改善補正処理部により実現されている。ただし、画像処理装置は、上記画像表示装置のうちクロストーク補正処理部または応答速度改善補正処理部以外の部分を含んでもよい。画像処理装置の機能は、一つの態様ではハードウェア回路により実現されるが、ハードウェア資源とソフトウェアとの協働により実現されてもよい。具体的には、画像処理装置の機能は、画像処理プログラムがコンピュータにより実行されることによって実現されてもよい。より具体的には、画像処理装置の機能は、ＲＯＭ（Read Only Memory）等の記録媒体に記録された画像処理プログラムが主記憶装置に読み出されて中央処理装置（CPU: Central Processing Unit）により実行されることによって実現されてもよい。画像処理プログラムは、光ディスク等のコンピュータ読み取り可能な記録媒体に記録されて提供されてもよいし、インターネット等の通信回線を介して提供されてもよい。
【０１６４】
なお、本発明は、上記実施の形態に限定されるものではなく、本発明の要旨を逸脱しない範囲内において種々の態様で実施することができる。
【符号の説明】
【０１６５】
１  入力端子、  ２，１７２，２１２，２３２  クロストーク補正処理部、  ３，２３３  応答速度改善補正処理部、  ４  表示部、  ３１  バックライト、  ３２，５０，６０  液晶パネル、  ３３，５２，５３，６２  視差バリア、  ５１，６１，６３  サブ画素、  １００，１４０，１７０，２１０，２３０  画像表示装置、  １０１，１４１，１７１，２１１，２３１  画像データ処理部、  １２１，１８１，１９１，２２１，２２２  サブ画素選択部、  １２２，１８２，１９２，２２３  補正部、  １２３，１９３，２２５  電気的クロストーク補正値生成部、  １２３−１〜１２３−４，１９３−１〜１９３−４，２２５−１〜２２５−４  電気的クロストーク補正用ＬＵＴ、  １２４，１８４，２２４  光学的クロストーク補正値生成部、  １２４−１〜１２４−１２，１８４−１〜１８４−１２，２２４−１〜２２４−１２  光学的クロストーク補正用ＬＵＴ、  １２５，１８５，１９５，２２６  補正値加算部、  １７３  光学的クロストーク補正処理部、  １７４  電気的クロストーク補正処理部、  ２３４  温度センサ、  ２３５  Ａ／Ｄコンバータ、  ２４１  ＬＵＴデータ格納部、  ２４２  ＬＵＴ制御部。
【図１】
2012111422.tif 000003
【図２】
2012111422.tif 000004
【図３】
2012111422.tif 000005
【図４】
2012111422.tif 000006
【図５】
2012111422.tif 000007
【図６】
2012111422.tif 000008
【図７】
2012111422.tif 000009
【図８】
2012111422.tif 000010
【図９】
2012111422.tif 000011
【図１０】
2012111422.tif 000012
【図１１】
2012111422.tif 000013
【図１２】
2012111422.tif 000014
【図１３】
2012111422.tif 000015
【図１４】
2012111422.tif 000016
【図１５】
2012111422.tif 000017
【図１６】
2012111422.tif 000018
【図１７】
2012111422.tif 000019
【図１８】
2012111422.tif 000020
【図１９】
2012111422.tif 000021
【図２０】
2012111422.tif 000022
【図２１】
2012111422.tif 000023
【図２２】
2012111422.tif 000024
【図２３】
2012111422.tif 000025
【図２４】
2012111422.tif 000026
【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
表示部の同一表示画面においてそれぞれ異なる方向に表示される複数の画像が合成された画像データを入力画像データとして受けて補正処理を行い補正画像データとして出力する画像処理装置であって、
前記表示部で画像を表示する際に生じるクロストークを補正するためのクロストーク補正処理を行うクロストーク補正処理部と、
前記表示部の応答速度を改善するための応答速度改善補正処理を行う応答速度改善補正処理部と
を備え、
前記クロストーク補正処理部は、
前記クロストーク補正処理として、光学的クロストークを補正するための光学的クロストーク補正処理を行う光学的クロストーク補正処理部と、
前記クロストーク補正処理として、電気的クロストークを補正するための電気的クロストーク補正処理を行う電気的クロストーク補正処理部と
を有し、
前記光学的クロストーク補正処理部は、前記入力画像データに基づいて、前記光学的クロストーク補正処理を行い、光学的クロストーク補正処理のされた画像データを出力し、
前記応答速度改善補正処理部は、前記光学的クロストーク補正処理のされた画像データに基づいて前記応答速度改善補正処理を行い、応答速度改善補正処理のされた画像データを出力し、
前記電気的クロストーク補正処理部は、前記応答速度改善補正処理のされた画像データに基づいて、前記電気的クロストーク補正処理を行い、電気的クロストーク補正処理のされた画像データを前記補正画像データとして出力する
ことを特徴とする画像処理装置。
【請求項２】
表示部の同一表示画面においてそれぞれ異なる方向に表示される複数の画像が合成された画像データを入力画像データとして受けて補正処理を行い補正画像データとして出力する画像処理装置であって、
前記表示部で画像を表示する際に生じるクロストークを補正するためのクロストーク補正処理を行うクロストーク補正処理部と、
前記表示部の応答速度を改善するための応答速度改善補正処理を行う応答速度改善補正処理部と
を備え、
前記クロストーク補正処理部は、
光学的クロストークを補正するための補正値を生成する光学的クロストーク補正値生成部と、
電気的クロストークを補正するための補正値を生成する電気的クロストーク補正値生成部と
を有し、
前記応答速度改善補正処理部は、前記入力画像データに基づいて前記応答速度改善補正処理を行い、応答速度改善補正処理のされた画像データを出力し、
前記光学的クロストーク補正値生成部は、前記入力画像データに基づいて、前記光学的クロストークを補正するための補正値の生成を行い、
前記電気的クロストーク補正値生成部は、前記応答速度改善補正処理のされた画像データに基づいて、前記電気的クロストークを補正するための補正値の生成を行い、
前記クロストーク補正処理部は、前記光学的クロストークを補正するための補正値および電気的クロストークを補正するための補正値を用いて、前記応答速度改善補正処理のされた画像データに対して、光学的クロストーク補正処理および電気的クロストーク補正処理を行い、前記補正画像データを生成する
ことを特徴とする画像処理装置。
【請求項３】
前記光学的クロストーク補正処理部は、前記光学的クロストーク補正処理に用いられる光学的クロストークを補正するための補正値を生成する光学的クロストーク補正値生成部を有し、
前記電気的クロストーク補正処理部は、前記電気的クロストーク補正処理に用いられる電気的クロストークを補正するための補正値を生成する電気的クロストーク補正値生成部を有する
ことを特徴とする請求項１に記載の画像処理装置。
【請求項４】
請求項１から３のいずれかに記載の画像処理装置と、
前記画像処理装置により出力された補正画像データに基づき、前記複数の画像をそれぞれ異なる方向に表示する表示部と
を備えることを特徴とする画像表示装置。
【請求項５】
表示部の同一表示画面においてそれぞれ異なる方向に表示される複数の画像が合成された画像データを入力画像データとして受けて補正処理を行い補正画像データとして出力する画像処理方法であって、
前記表示部で画像を表示する際に生じるクロストークを補正するためのクロストーク補正処理を行うクロストーク補正処理ステップと、
前記表示部の応答速度を改善するための応答速度改善補正処理を行う応答速度改善補正処理ステップと
を含み、
前記クロストーク補正処理ステップは、
前記クロストーク補正処理として、光学的クロストークを補正するための光学的クロストーク補正処理を行う光学的クロストーク補正処理ステップと、
前記クロストーク補正処理として、電気的クロストークを補正するための電気的クロストーク補正処理を行う電気的クロストーク補正処理ステップと
を有し、
前記光学的クロストーク補正処理ステップは、前記入力画像データに基づいて、前記光学的クロストーク補正処理を行い、光学的クロストーク補正処理のされた画像データを出力し、
前記応答速度改善補正処理ステップは、前記光学的クロストーク補正処理のされた画像データに基づいて前記応答速度改善補正処理を行い、応答速度改善補正処理のされた画像データを出力し、
前記電気的クロストーク補正処理ステップは、前記応答速度改善補正処理のされた画像データに基づいて、前記電気的クロストーク補正処理を行い、電気的クロストーク補正処理のされた画像データを前記補正画像データとして出力する
ことを特徴とする画像処理方法。
【請求項６】
表示部の同一表示画面においてそれぞれ異なる方向に表示される複数の画像が合成された画像データを入力画像データとして受けて補正処理を行い補正画像データとして出力する画像処理方法であって、
前記表示部で画像を表示する際に生じるクロストークを補正するためのクロストーク補正処理を行うクロストーク補正処理ステップと、
前記表示部の応答速度を改善するための応答速度改善補正処理を行う応答速度改善補正処理ステップと
を含み、
前記クロストーク補正処理ステップは、
光学的クロストークを補正するための補正値を生成する光学的クロストーク補正値生成ステップと、
電気的クロストークを補正するための補正値を生成する電気的クロストーク補正値生成ステップと
を有し、
前記応答速度改善補正処理ステップは、前記入力画像データに基づいて前記応答速度改善補正処理を行い、応答速度改善補正処理のされた画像データを出力し、
前記光学的クロストーク補正値生成ステップは、前記入力画像データに基づいて、前記光学的クロストークを補正するための補正値の生成を行い、
前記電気的クロストーク補正値生成ステップは、前記応答速度改善補正処理のされた画像データに基づいて、前記電気的クロストークを補正するための補正値の生成を行い、
前記クロストーク補正処理ステップは、前記光学的クロストークを補正するための補正値および電気的クロストークを補正するための補正値を用いて、前記応答速度改善補正処理のされた画像データに対して、光学的クロストーク補正処理および電気的クロストーク補正処理を行い、前記補正画像データを生成する
ことを特徴とする画像処理方法。
【請求項７】
表示部の同一表示画面においてそれぞれ異なる方向に表示される複数の画像が合成された画像データを入力画像データとして受けて補正処理を行い補正画像データとして出力する画像処理プログラムであって、
前記表示部で画像を表示する際に生じるクロストークを補正するためのクロストーク補正処理を行うクロストーク補正処理ステップと、
前記表示部の応答速度を改善するための応答速度改善補正処理を行う応答速度改善補正処理ステップと
をコンピュータに実行させ、
前記クロストーク補正処理ステップは、
前記クロストーク補正処理として、光学的クロストークを補正するための光学的クロストーク補正処理を行う光学的クロストーク補正処理ステップと、
前記クロストーク補正処理として、電気的クロストークを補正するための電気的クロストーク補正処理を行う電気的クロストーク補正処理ステップと
を有し、
前記光学的クロストーク補正処理ステップは、前記入力画像データに基づいて、前記光学的クロストーク補正処理を行い、光学的クロストーク補正処理のされた画像データを出力し、
前記応答速度改善補正処理ステップは、前記光学的クロストーク補正処理のされた画像データに基づいて前記応答速度改善補正処理を行い、応答速度改善補正処理のされた画像データを出力し、
前記電気的クロストーク補正処理ステップは、前記応答速度改善補正処理のされた画像データに基づいて、前記電気的クロストーク補正処理を行い、電気的クロストーク補正処理のされた画像データを前記補正画像データとして出力する
ことを特徴とする画像処理プログラム。
【請求項８】
表示部の同一表示画面においてそれぞれ異なる方向に表示される複数の画像が合成された画像データを入力画像データとして受けて補正処理を行い補正画像データとして出力する画像処理プログラムであって、
前記表示部で画像を表示する際に生じるクロストークを補正するためのクロストーク補正処理を行うクロストーク補正処理ステップと、
前記表示部の応答速度を改善するための応答速度改善補正処理を行う応答速度改善補正処理ステップと
をコンピュータに実行させ、
前記クロストーク補正処理ステップは、
光学的クロストークを補正するための補正値を生成する光学的クロストーク補正値生成ステップと、
電気的クロストークを補正するための補正値を生成する電気的クロストーク補正値生成ステップと
を有し、
前記応答速度改善補正処理ステップは、前記入力画像データに基づいて前記応答速度改善補正処理を行い、応答速度改善補正処理のされた画像データを出力し、
前記光学的クロストーク補正値生成ステップは、前記入力画像データに基づいて、前記光学的クロストークを補正するための補正値の生成を行い、
前記電気的クロストーク補正値生成ステップは、前記応答速度改善補正処理のされた画像データに基づいて、前記電気的クロストークを補正するための補正値の生成を行い、
前記クロストーク補正処理ステップは、前記光学的クロストークを補正するための補正値および電気的クロストークを補正するための補正値を用いて、前記応答速度改善補正処理のされた画像データに対して、光学的クロストーク補正処理および電気的クロストーク補正処理を行い、前記補正画像データを生成する
ことを特徴とする画像処理プログラム。
【手続補正２】
【補正対象書類名】明細書
【補正対象項目名】００１０
【補正方法】変更
【補正の内容】
【００１０】
本発明の画像処理装置は、表示部の同一表示画面においてそれぞれ異なる方向に表示される複数の画像が合成された画像データを入力画像データとして受けて補正処理を行い補正画像データとして出力する画像処理装置であって、前記表示部で画像を表示する際に生じるクロストークを補正するためのクロストーク補正処理を行うクロストーク補正処理部と、前記表示部の応答速度を改善するための応答速度改善補正処理を行う応答速度改善補正処理部とを備え、前記クロストーク補正処理部は、前記クロストーク補正処理として、光学的クロストークを補正するための光学的クロストーク補正処理を行う光学的クロストーク補正処理部と、前記クロストーク補正処理として、電気的クロストークを補正するための電気的クロストーク補正処理を行う電気的クロストーク補正処理部とを有し、前記光学的クロストーク補正処理部は、前記入力画像データに基づいて、前記光学的クロストーク補正処理を行い、光学的クロストーク補正処理のされた画像データを出力し、前記応答速度改善補正処理部は、前記光学的クロストーク補正処理のされた画像データに基づいて前記応答速度改善補正処理を行い、応答速度改善補正処理のされた画像データを出力し、前記電気的クロストーク補正処理部は、前記応答速度改善補正処理のされた画像データに基づいて、前記電気的クロストーク補正処理を行い、電気的クロストーク補正処理のされた画像データを前記補正画像データとして出力する。
本発明の画像処理装置は、表示部の同一表示画面においてそれぞれ異なる方向に表示される複数の画像が合成された画像データを入力画像データとして受けて補正処理を行い補正画像データとして出力する画像処理装置であって、前記表示部で画像を表示する際に生じるクロストークを補正するためのクロストーク補正処理を行うクロストーク補正処理部と、前記表示部の応答速度を改善するための応答速度改善補正処理を行う応答速度改善補正処理部とを備え、前記クロストーク補正処理部は、光学的クロストークを補正するための補正値を生成する光学的クロストーク補正値生成部と、電気的クロストークを補正するための補正値を生成する電気的クロストーク補正値生成部とを有し、前記応答速度改善補正処理部は、前記入力画像データに基づいて前記応答速度改善補正処理を行い、応答速度改善補正処理のされた画像データを出力し、前記光学的クロストーク補正値生成部は、前記入力画像データに基づいて、前記光学的クロストークを補正するための補正値の生成を行い、前記電気的クロストーク補正値生成部は、前記応答速度改善補正処理のされた画像データに基づいて、前記電気的クロストークを補正するための補正値の生成を行い、前記クロストーク補正処理部は、前記光学的クロストークを補正するための補正値および電気的クロストークを補正するための補正値を用いて、前記応答速度改善補正処理のされた画像データに対して、光学的クロストーク補正処理および電気的クロストーク補正処理を行い、前記補正画像データを生成する。
【手続補正３】
【補正対象書類名】明細書
【補正対象項目名】００１１
【補正方法】変更
【補正の内容】
【００１１】
本発明の画像表示装置は、上記の画像処理装置と、該画像処理装置により出力された補正画像データに基づき、前記複数の画像をそれぞれ異なる方向に表示する表示部とを備える。
【手続補正４】
【補正対象書類名】明細書
【補正対象項目名】００１２
【補正方法】変更
【補正の内容】
【００１２】
本発明の画像処理方法は、表示部の同一表示画面においてそれぞれ異なる方向に表示される複数の画像が合成された画像データを入力画像データとして受けて補正処理を行い補正画像データとして出力する画像処理方法であって、前記表示部で画像を表示する際に生じるクロストークを補正するためのクロストーク補正処理を行うクロストーク補正処理ステップと、前記表示部の応答速度を改善するための応答速度改善補正処理を行う応答速度改善補正処理ステップとを含み、前記クロストーク補正処理ステップは、前記クロストーク補正処理として、光学的クロストークを補正するための光学的クロストーク補正処理を行う光学的クロストーク補正処理ステップと、前記クロストーク補正処理として、電気的クロストークを補正するための電気的クロストーク補正処理を行う電気的クロストーク補正処理ステップとを有し、前記光学的クロストーク補正処理ステップは、前記入力画像データに基づいて、前記光学的クロストーク補正処理を行い、光学的クロストーク補正処理のされた画像データを出力し、前記応答速度改善補正処理ステップは、前記光学的クロストーク補正処理のされた画像データに基づいて前記応答速度改善補正処理を行い、応答速度改善補正処理のされた画像データを出力し、前記電気的クロストーク補正処理ステップは、前記応答速度改善補正処理のされた画像データに基づいて、前記電気的クロストーク補正処理を行い、電気的クロストーク補正処理のされた画像データを前記補正画像データとして出力する。
本発明の画像処理方法は、表示部の同一表示画面においてそれぞれ異なる方向に表示される複数の画像が合成された画像データを入力画像データとして受けて補正処理を行い補正画像データとして出力する画像処理方法であって、前記表示部で画像を表示する際に生じるクロストークを補正するためのクロストーク補正処理を行うクロストーク補正処理ステップと、前記表示部の応答速度を改善するための応答速度改善補正処理を行う応答速度改善補正処理ステップとを含み、前記クロストーク補正処理ステップは、光学的クロストークを補正するための補正値を生成する光学的クロストーク補正値生成ステップと、電気的クロストークを補正するための補正値を生成する電気的クロストーク補正値生成ステップとを有し、前記応答速度改善補正処理ステップは、前記入力画像データに基づいて前記応答速度改善補正処理を行い、応答速度改善補正処理のされた画像データを出力し、前記光学的クロストーク補正値生成ステップは、前記入力画像データに基づいて、前記光学的クロストークを補正するための補正値の生成を行い、前記電気的クロストーク補正値生成ステップは、前記応答速度改善補正処理のされた画像データに基づいて、前記電気的クロストークを補正するための補正値の生成を行い、前記クロストーク補正処理ステップは、前記光学的クロストークを補正するための補正値および電気的クロストークを補正するための補正値を用いて、前記応答速度改善補正処理のされた画像データに対して、光学的クロストーク補正処理および電気的クロストーク補正処理を行い、前記補正画像データを生成する。
【手続補正５】
【補正対象書類名】明細書
【補正対象項目名】００１３
【補正方法】変更
【補正の内容】
【００１３】
本発明の画像処理プログラムは、表示部の同一表示画面においてそれぞれ異なる方向に表示される複数の画像が合成された画像データを入力画像データとして受けて補正処理を行い補正画像データとして出力する画像処理プログラムであって、前記表示部で画像を表示する際に生じるクロストークを補正するためのクロストーク補正処理を行うクロストーク補正処理ステップと、前記表示部の応答速度を改善するための応答速度改善補正処理を行う応答速度改善補正処理ステップとをコンピュータに実行させ、前記クロストーク補正処理ステップは、前記クロストーク補正処理として、光学的クロストークを補正するための光学的クロストーク補正処理を行う光学的クロストーク補正処理ステップと、前記クロストーク補正処理として、電気的クロストークを補正するための電気的クロストーク補正処理を行う電気的クロストーク補正処理ステップとを有し、前記光学的クロストーク補正処理ステップは、前記入力画像データに基づいて、前記光学的クロストーク補正処理を行い、光学的クロストーク補正処理のされた画像データを出力し、前記応答速度改善補正処理ステップは、前記光学的クロストーク補正処理のされた画像データに基づいて前記応答速度改善補正処理を行い、応答速度改善補正処理のされた画像データを出力し、前記電気的クロストーク補正処理ステップは、前記応答速度改善補正処理のされた画像データに基づいて、前記電気的クロストーク補正処理を行い、電気的クロストーク補正処理のされた画像データを前記補正画像データとして出力する。
本発明の画像処理プログラムは、表示部の同一表示画面においてそれぞれ異なる方向に表示される複数の画像が合成された画像データを入力画像データとして受けて補正処理を行い補正画像データとして出力する画像処理プログラムであって、前記表示部で画像を表示する際に生じるクロストークを補正するためのクロストーク補正処理を行うクロストーク補正処理ステップと、前記表示部の応答速度を改善するための応答速度改善補正処理を行う応答速度改善補正処理ステップとをコンピュータに実行させ、前記クロストーク補正処理ステップは、光学的クロストークを補正するための補正値を生成する光学的クロストーク補正値生成ステップと、電気的クロストークを補正するための補正値を生成する電気的クロストーク補正値生成ステップとを有し、前記応答速度改善補正処理ステップは、前記入力画像データに基づいて前記応答速度改善補正処理を行い、応答速度改善補正処理のされた画像データを出力し、前記光学的クロストーク補正値生成ステップは、前記入力画像データに基づいて、前記光学的クロストークを補正するための補正値の生成を行い、前記電気的クロストーク補正値生成ステップは、前記応答速度改善補正処理のされた画像データに基づいて、前記電気的クロストークを補正するための補正値の生成を行い、前記クロストーク補正処理ステップは、前記光学的クロストークを補正するための補正値および電気的クロストークを補正するための補正値を用いて、前記応答速度改善補正処理のされた画像データに対して、光学的クロストーク補正処理および電気的クロストーク補正処理を行い、前記補正画像データを生成する。
【国際調査報告】
2012111422.tif 000027
2012111422.tif 000028
2012111422.tif 000029
2012111422.tif 000030